【事件の表示】
　特許第３０９３２７７号「データサービスのためのランダムアクセス通信チヤネル」の請求項１ないし３、５ないし７、９ないし１１、１５ないし１７、１９ないし２１、２３ないし２５、２９ないし３５、３８ないし３９に係る特許に対する特許異議の申立てについて、次のとおり決定する。
【結　論】
　訂正を認める。
　特許第３０９３２７７号の請求項２ないし４、６ないし８、１３ないし１５、１７ないし１９に係る特許を維持する。
【理　由】
１．手続の経緯
特許出願（平成８年５月１７日）
特許権設定登録（平成１２年７月２８日）
特許異議申立て（平成１３年４月３日）
（異議申立人　ノキア・ジャパン株式会社）
（請求項１ないし３、５ないし７、９ないし１１、１５ないし１７、１９な　いし２１、２３ないし２５、２９ないし３５、３８ないし３９に係る特許　に対して）
取消理由通知（平成１３年６月１９日）
（請求項１ないし３、５ないし７、９ないし１１、１５ないし１７、１９な　いし２１、２３ないし２５、２９ないし３５、３８ないし３９に係る特許　に対して）
訂正請求（平成１３年１２月１９日）
　（請求項５ないし７、９ないし１１、１９ないし２１、２３ないし２５、　２９ないし３０、３２ないし３３、［請求項１ないし３、１５ないし１７　、３１、３４ないし３５、３８ないし３９は削除］）
訂正拒絶理由（平成１４年１１月８日）
審尋（異議申立人に対して）（平成１５年４月４日）
審尋（特許権者に対して）（平成１５年７月１５日）
取消理由通知（平成１５年９月５日）
  （請求項２９ないし３０、３２ないし３３に係る特許に対して）
訂正請求（平成１３年１２月１９日付）取下（平成１５年１０月１６日）
訂正請求（平成１５年１０月１６日）
　（請求項５ないし７、９ないし１１、１９ないし２１、２３ないし２５、　［請求項１ないし３、１５ないし１７、２９ないし３３、３４及び３５、　３８及び３９は削除］）
　
２．訂正の適否
２．１　訂正の内容
１Ａ．請求項１ないし３を削除。
１Ｂ．請求項４を、請求項１,２及び３の削除に伴ない独立形式の請求項に訂正し、その項番を１とする。
１Ｃ．請求項５を請求項２とする。
１Ｄ．請求項６を請求項３とし、従属する請求項５を請求項２とする。
１Ｅ．請求項７を請求項４とし、従属する請求項６を請求項３とする。
１Ｆ．請求項８を請求項５とし、従属する請求項５を請求項２とする。
１Ｇ．請求項９を請求項６とする。
１Ｈ．請求項１０を請求項７とし、従属する請求項９を請求項６とする。
　さらに、同請求項の５行目の「ためのの制御器」を「ための制御器」と訂正する。
１Ｉ．請求項１１を請求項８とし、従属する請求項９を請求項６とする。
１Ｊ．請求項１２を請求項９とし、従属する請求項９を請求項６とする。
　さらに、同請求項の６行目の「位置付けらる」を「位置付けられる」と訂正する。
１Ｋ．請求項１３を請求項１０とし、従属する請求項１２を請求項９とする。
１Ｌ．請求項１４を請求項１１とし、従属する請求項１３を請求項１０とする。
１Ｍ．請求項１５ないし１７を削除。
１Ｎ．請求項１８を、請求項１５ないし１７の削除に伴ない独立形式の請求項とし、その項番を１２とする。
１Ｏ．請求項１９を請求項１３とし、従属する請求項１５を請求項１２とする。
１Ｐ．請求項２０を請求項１４とし、従属する請求項１９を請求項１３とする。
１Ｑ．請求項２１を請求項１５とし、従属する請求項２０を請求項１４とする。
１Ｒ．請求項２２を請求項１６とし、従属する請求項１９を請求項１３とする。
１Ｓ．請求項２３を請求項１７とし、従属する請求項１５を請求項１２とする。
１Ｔ．請求項２４を請求項１８とし、従属する請求項２３を請求項１７とする。
１Ｕ．請求項２５を請求項１９とし、従属する請求項２３を請求項１７とする。
１Ｖ．請求項２６を請求項２０とし、従属する請求項２３を請求項１７とする。
１Ｗ．請求項２７を請求項２１とし、従属する請求項２６を請求項２０とする。
１Ｘ．請求項２８を請求項２２とし、従属する請求項２７を請求項２１とする。
１Ｙ．請求項２９を削除。
１Ｚ．請求項３０を削除。
２Ａ．請求項３１を削除。
２Ｂ．請求項３２を、削除。
２Ｃ．請求項３３を削除。
２Ｄ．請求項３４及び３５を削除。
２Ｅ．請求項３６を、請求項３４及び３５の削除に伴ない独立形式の請求項とし、その項番を２３とする。
２Ｆ．請求項３７を請求項２４とし、従属する請求項３６を請求項２３とする。
２Ｇ．請求項３８ないし３９を削除。
２Ｈ．請求項４０を、請求項３８ないし３９の削除に伴ない独立形式の請求項にするとともに、その項番を２５とする。
２Ｉ．請求項４１を請求項２６とし、従属する請求項４０を請求項２５とする。
　
２．２　訂正の目的の適否、新規事項の有無、及び、特許請求の範囲の拡張・変更の存否
１ａ)訂正事項１Ａは、請求項１ないし３を削除するものであるから、特許法第１２０条の４第２項ただし書き第１号に規定する特許請求の範囲の減縮を目的とし、実質上特許請求の範囲を拡張し又は変更するものでもない。
　従って、該訂正事項は、特許法第１２０条の４第３項で準用する第１２６条第２項から第４項の規定に適合する。
１ｂ)訂正事項１Ｂは、請求項１ないし３の削除にともない、異議の申立てがされていない請求項４を独立形式の請求項にするとともに、その項番を１とするものであるから、特許法第１２０条の４第２項ただし書き第３号に規定する明りょうでない記載の釈明を目的とするものである。
　そして、この訂正事項は、願書に添付した明細書に記載した事項の範囲内の訂正であり、実質上特許請求の範囲を拡張し、又は変更するものではない。
　従って、該訂正事項は、特許法第１２０条の４第３項で準用する第１２６条第２項から第３項の規定に適合する。
lｃ)訂正事項１Ｃは、他の請求項の削除にともなって請求項の番号を５から２に訂正するものであるから明りょうでない記載の釈明を目的とするものであり、また、訂正後の請求項２で準用している訂正後の請求項１は、請求項１に加え、請求項２（概略、デジタル通信システムが放送チャネル上のページングと制御メッセージとでインタリーブされる）、請求項３（概略、デジタル通信システムがＣＤＭＡ通信システムであり、放送チャネルと順方向データパケットチャネルとは順方向リンク上でパケット／ページングチャネルを得るために結合されており、前記パケット／ページングチャネルはパケットサブチャネルとページングサブチャネルを含んでいる）、及び、請求項４（概略、パケット／ページングチャネルは、パワー制御サブチャネルを有している）の特定事項を具備するものに限定するものであるから、特許請求の範囲の減縮を目的とするものであり、したがって、この訂正事項１Ｃは、特許法第１２０条の４第２項ただし書き第１号及び第３号に規定する明りょうでない記載の釈明及び特許請求の範囲の減縮を目的とするものに該当する。
　そして、この訂正は、願書に添付した明細書に記載した事項の範囲内の訂正であり、前記特定事項を具備する点は、請求項５に記載された請求項１の「デジタル通信システム」をさらに限定し、あるいは構成要件を追加する訂正であるから、実質上特許請求の範囲を拡張し又は変更するものでもない。
　従って、この訂正事項は、特許法第１２０条の４第３項で準用する同第１２６条第２項から第３項の規定に適合するものである。
１ｄ)訂正事項１Ｄは、他の請求項の削除にともなって、請求項の番号を６から３に訂正するとともに、同じく従属する請求項の番号を５から２に訂正するものであり、
また、１e)訂正事項１Ｅは、他の請求項の削除にともなって、請求項の番号を７から４に訂正するとともに、同じく従属する請求項の番号を６から３に訂正するものであるから、１ｄ)及び１e)の訂正は、前記１Ｃの場合と同趣旨の訂正であり、特許法第１２０条の４第２項ただし書き第１号及び第３号に規定する明りょうでない記載の釈明及び特許請求の範囲の減縮を目的とするものに該当し、そして、特許法第１２０条の４第３項で準用する同第１２６条第２項から第３項の規定に適合するものである。
　
１f)訂正事項１Ｆは、他の請求項の削除にともなって、異議の申立てがされていない請求項８の番号を８から５に訂正するものであるから明りょうでない記載の釈明を目的とするものであり、また、訂正後の請求項５は訂正後の請求項２を準用している（請求項１、請求項２、請求項３、請求項４、及び、請求項５の特定事項を具備する）ので、請求項１と請求項５の特定事項を具備する請求項８（請求項１、請求項５の特定事項を具備する）に請求項２、３の特定事項を加えて限定するものであるから、特許請求の範囲の減縮を目的とするものであり、特許法第１２０条の４第２項ただし書き第１号及び第３号に規定する明りょうでない記載の釈明及び特許請求の範囲の減縮を目的とするものに該当する。
　そして、この訂正は、願書に添付した明細書に記載した事項の範囲内の訂正であり、前記特定事項を具備する点は、請求項８に記載された「デジタル通信システム」をさらに限定し、あるいは構成要件を追加する訂正であるから、実質上特許請求の範囲を拡張し又は変更するものでもない。
　従って、この訂正事項は、特許法第１２０条の４第３項で準用する特許法第１２６条第２項から第３項の規定に適合するものである。
１g)訂正事項１Ｇは、他の請求項の削除にともなって、請求項の番号を９から６に訂正するとともに、準用する請求項を請求項１から訂正後の請求項１（請求項１、２、３及び４）とするものであるから、前記１Ｃの場合と同趣旨により、明りょうでない記載の釈明を目的とし、及び、特許請求の範囲の減縮を目的とするものであり、特許法第１２０条の４第２項ただし書き第１号及び第３号の規定に該当する。
　そして、この訂正は、願書に添付した明細書に記載した事項の範囲内の訂正であり、特定事項を具備する点は、請求項８に記載された「デジタル通信システム」をさらに限定し、あるいは構成要件を追加する訂正であるから、実質上特許請求の範囲を拡張し又は変更するものでもない。
　従って、この訂正事項は、特許法第１２０条の４第３項で準用する特許法第１２６条第２項から第３項の規定に適合するものである。
１h)訂正事項１Ｈは、他の請求項の削除にともなって、請求項１０を請求項７に訂正するとともに、同じく従属する請求項の番号を９から６に訂正するものである。この訂正は、前記１Ｃの場合と同趣旨により、明りょうでない記載の釈明を目的とし、及び、特許請求の範囲の減縮を目的とするものであり、さらに、同請求項の５行目の「ためのの制御器」を、「ための制御器」とする訂正は誤記の訂正を目的とするものである。
　従って、特許法第１２０条の４第２項ただし書き第１、２、３号の規定に該当する。
　そして、この訂正は、願書に添付した明細書に記載した事項の範囲内の訂正であり、準用する請求項を前記６として訂正後の請求項１の特定事項を具備する訂正は、請求項１０に記載された「デジタル通信システム」をさらに限定し、あるいは構成要件を追加する訂正であるから、実質上特許請求の範囲を拡張し又は変更するものでもない。
　従って、この訂正事項は、特許法第１２０条の４第３項で準用する特許法第１２６条第２項から第３項の規定に適合するものである。
１i)訂正事項１Ｉは、他の請求項の削除にともなって、請求項１１を請求項８に訂正するとともに、同じく従属する請求項の番号を９から６に訂正するものであるから、前記と同趣旨により、特許法第１２０条の４第２項ただし書き第１号及び第３号の規定に該当し、そして、該訂正事項は、特許法第１２０条の４第３項で準用する第１２６条第２項から第３項の規定に適合するものである。
　
lｊ)訂正事項１Jは、他の請求項の削除にともなって、異議の申立てがされていない請求項１２の番号を９に訂正するものであるから明りょうでない記載の釈明を目的とするものであり、また、訂正後の請求項９は訂正後の請求項１の特定事項を具備する訂正後の請求項６を準用しているので（訂正後の請求項１を準用しているので、請求項１、請求項２、請求項３、及び、請求項４の特定事項を具備する）、訂正後の請求項９は、請求項１２（請求項１、請求項９の特定事項を具備する）に、前記特定事項（請求項２、３、４）の限定を加えるものであるから、特許請求の範囲の減縮を目的とするものであり、さらに、同請求項の６行目の「位置付けらる」を、「位置付けられる」とする訂正は誤記の訂正を目的とするものである。
　従って、この訂正は、特許法第１２０条の４第２項ただし書き第１、２、３号の規定に該当する。
　そして、この訂正は、願書に添付した明細書に記載した事項の範囲内の訂正であり、前記特定事項を具備する点は、請求項１２に記載された「デジタル通信システム」を限定し、あるいは構成要件を追加する訂正であるから、実質上特許請求の範囲を拡張し又は変更するものでもない。
　従って、この訂正事項は、特許法第１２０条の４第３項で準用する特許法第１２６条第２項から第３項の規定に適合するものである。
１k)訂正事項１Ｋは、他の請求項の削除にともなって、異議の申立てがされていない請求項１３を請求項１０に訂正するとともに、同じく従属する請求項の番号を１２から９に訂正するものであり、また、
１ｌ)訂正事項１Lは、他の請求項の削除にともなって、異議の申立てがされていない請求項１４を請求項１１に訂正するとともに、同じく従属する請求項の番号を１３から１０に訂正するものであり、これらの訂正については、１ｊ）の項において既述の訂正後の請求項９の場合と同じ趣旨のことがいえるので、特許法第１２０条の４第２項ただし書き第１号及び第３号の規定に該当する訂正であり、そして、該訂正は、特許法第１２０条の４第３項で準用する第１２６条第２項から第３項の規定に適合するものである。
　
１ｍ)訂正事項１Ｍは、請求項１５ないし１７を削除するものであるから、特許法第１２０条の４第２項ただし書き第１号に規定する特許請求の範囲の減縮を目的とするものに該当する。
　また、この訂正は、願書に添付した明細書に記載した事項の範囲内の訂正であり、実質上特許請求の範囲を拡張し又は変更するものでもない。
　従って、該訂正事項は、特許法第１２０条の４第３項で準用する第１２６条第２項から第４項の規定に適合する。
　
１ｎ)訂正事項１Ｎは、請求項１５ないし１７の削除にともなって、異議の申立てのされていない請求項１８の「データパケットを通信するための方法」の発明を独立形式の請求項にするとともに、その項番を１２とするものであり、特許法第１２０条の４第２項ただし書き第３号に規定する明りょうでない記載の釈明を目的とするものである。
　また、願書に添付した明細書に記載した事項の範囲内の訂正であり、実質上特許請求の範囲を拡張し又は変更するものでもない。
　従って、該訂正事項は、特許法第１２０条の４第３項で準用する第１２６条第２項から第３項の規定に適合するものである。
１ｏ)訂正事項１Ｏと、
１ｐ)訂正事項１Ｐと、
１ｑ)訂正事項１Ｑは、それぞれ、他の請求項の削除にともなって、請求項１９、２０、２１の番号を訂正後の１３、１４、１５に訂正するものであるから、これらの訂正は、明りょうでない記載の釈明にあたるとともに、同じく従属する請求項の番号をそれぞれ１５から１２に、１９から１３に、２０から１４とする訂正は、「データパケットを通信するための方法」に関し、前記１Ｃないし１Ｅの「デジタル通信システム」の場合と比較してカテゴリが方法であるが、前記１Ｃないし１Ｅと同趣旨の訂正であって特許請求の範囲の減縮を目的とするものである。
　従って、これらの訂正は特許法第１２０条の４第２項ただし書き第１号及び第３号に規定に該当する。
　そして、前記訂正は、願書に添付した明細書に記載した事項の範囲内の訂正であり、実質上特許請求の範囲を拡張し又は変更するものでもない。
　従って、該訂正事項は、特許法第１２０条の４第３項で準用する第１２６条第２項から第３項の規定に適合するものである。
　
lｒ)訂正事項１Ｒは、他の請求項の削除にともなって、異議の申立てがされていない請求項２２を請求項１６に訂正するとともに、同じく従属する請求項の番号を１９から１３に訂正するものであり、
１ｓ)訂正事項１Ｓは、他の請求項の削除にともなって、請求項２３を請求項１７に訂正するとともに、同じく従属する請求項の番号を１５から１２に訂正するものであり、
１ｔ)訂正事項１Ｔは、他の請求項の削除にともなって、請求項２４を請求項１８に訂正するとともに、同じく従属する請求項の番号を２３から１７に訂正するものであり、
１ｕ)訂正事項１Ｕは、他の請求項の削除にともなって、請求項２５を請求項１９に訂正するとともに、同じく従属する請求項の番号を２３から１７に訂正するものであり
　訂正後の請求項１６ないし１９は、「データパケットを通信するための方法」に関し、前記１Ｆないし１Ｉの「デジタル通信システム」における訂正の場合と比較してカテゴリが方法であるが、前記１f）ないし１i）と同趣旨の訂正であるから、前記番号の訂正は特許法第１２０条の４第２項ただし書き第１号及び第３号に規定する明りょうでない記載の釈明及び特許請求の範囲の減縮を目的とするものに該当する。
　そして、前記訂正は、願書に添付した明細書に記載した事項の範囲内の訂正であり、実質上特許請求の範囲を拡張し又は変更するものでもない。
　従って、該訂正事項は、特許法第１２０条の４第３項で準用する第１２６条第２項から第３項の規定に適合するものである。
　
１ｖ)訂正事項１Ｖは、他の請求項の削除にともなって、異議の申立てがされていない請求項２６を請求項２０に訂正するとともに、同じく従属する請求項の番号を２３から１７に訂正するものであり、
１ｗ)訂正事項１Ｗは、他の請求項の削除にともなって、異議の申立てがされていない請求項２７を請求項２１に訂正するとともに、同じく従属する請求項の番号を２６から２０に訂正するものであり、
１ｘ)訂正事項１Ｘは、他の請求項の削除にともなって、異議の申立てがされていない請求項２８を請求項２２に訂正するとともに、同じく従属する請求項の番号を２７から２１に訂正するものであり、
　他の請求項の削除にともなって、請求項２６、２７、２８の番号を訂正後の２０、２１、２２に訂正するものであるから、これらの訂正は、明りょうでない記載の釈明にあたるとともに、同じく従属する請求項の番号をそれぞれ訂正後の１７、２０、２１に訂正するものであり、準用する請求項として、要するに、請求項１５から請求項１５、１６、１７の特定事項を具備するものに限定するものであり、この訂正は、前記１j）ないし１ｋ）の「デジタル通信システム」の場合と同趣旨の訂正であって特許請求の範囲の減縮を目的とするものである。
　従って、これらの訂正は、特許法第１２０条の４第２項ただし書き第１号及び第３号の規定に該当する。
　そして、前記訂正は、願書に添付した明細書に記載した事項の範囲内の訂正であり、実質上特許請求の範囲を拡張し又は変更するものでもない。
　従って、該訂正事項は、特許法第１２０条の４第３項で準用する第１２６条第２項から第３項の規定に適合するものである。
　
１ｙ)訂正事項１Ｙは、請求項２９を削除するものであり、
１ｚ)訂正事項１Ｚは、請求項３０を削除するものであり、
２ａ)訂正事項２Ａは、請求項３１を削除するものであり、
２ｂ)訂正事項２Ｂは、請求項３２を削除するものであり、
２ｃ)訂正事項２Ｃは、請求項３３を削除するものであり、
２ｄ)訂正事項２Ｄは、請求項３４及び３５を削除するものであるから、
これらの訂正は、特許請求の範囲の減縮を目的とするものであり、特許法第１２０条の４第２項ただし書き第１号の規定に該当し、これらの訂正は願書に添付した明細書に記載した事項の範囲内の訂正であり、実質上特許請求の範囲を拡張し又は変更するものでもないので、特許法第１２０条の４第３項で準用する第１２６条第２項から第４項の規定に適合するものである。
　
２e)訂正事項２Ｅは、請求項３４及び３５の削除にともない、異議の申立てがされていない請求項３６を独立形式の請求項にするとともに、その項の番号を３６から２３にするものであるから、明りょうでない記載の釈明を目的とし、特許法第１２０条の４第２項ただし書き第３号の規定に該当する。
　また、願書に添付した明細書に記載した事項の範囲内の訂正であり、実質上特許請求の範囲を拡張し又は変更するものでもない。
　従って、該訂正事項は、特許法第１２０条の４第３項で準用する第１２６条第２項から第３項の規定に適合するものである。
２f)訂正事項２Ｆは、他の請求項の削除にともなって、異議の申立てがされていない請求項３７を請求項２４に訂正するとともに、同じく従属する請求項の番号を３６から２３に訂正するものであるから、明りょうでない記載の釈明を目的とし、特許法第１２０条の４第２項ただし書き第３号の規定に該当する。
　また、願書に添付した明細書に記載した事項の範囲内の訂正であり、実質上特許請求の範囲を拡張し又は変更するものでもない。
　従って、該訂正事項は、特許法第１２０条の４第３項で準用する第１２６条第２項から第３項の規定に適合するものである。
　
２g)訂正事項２Ｇは、請求項３８ないし３９を削除するものであるから、この訂正は、特許請求の範囲の減縮を目的とするものであり、特許法第１２０条の４第２項ただし書き第１号の規定に該当し、これらの訂正は願書に添付した明細書に記載した事項の範囲内の訂正であり、実質上特許請求の範囲を拡張し又は変更するものでもない。
　従って、該訂正事項は、特許法第１２０条の４第３項で準用する第１２６条第２項から第３項の規定に適合するものである。
　
２h)訂正事項２Ｈは、請求項３８、３９の削除にともなって、異議の申立てがされていない請求項４０を独立形式の請求項にするとともに、その項番を２５とするものであるから、明りょうでない記載の釈明を目的とし、特許法第１２０条の４第２項ただし書き第３号の規定に該当する。
　また、願書に添付した明細書に記載した事項の範囲内の訂正であり、実質上特許請求の範囲を拡張し又は変更するものでもない。
　従って、該訂正事項は、特許法第１２０条の４第３項で準用する第１２６条第２項から第３項の規定に適合するものである。
２ｉ)訂正事項２Ｉは、他の請求項の削除にともなって、異議の申立てがされていない請求項４１を請求項２６に訂正するとともに、同じく従属する請求項の番号を４０から２５に訂正するものであるから、明りょうでない記載の釈明を目的とし、特許法第１２０条の４第２項ただし書き第３号の規定に該当する。
　また、願書に添付した明細書に記載した事項の範囲内の訂正であり、実質上特許請求の範囲を拡張し又は変更するものでもない。
　従って、該訂正事項は、特許法第１２０条の４第３項で準用する第１２６条第２項から第３項の規定に適合するものである。
　
２．３　独立特許要件
２．３．１　特許異議の申立てがされていない請求項に係る発明についての独立特許要件
　訂正明細書の請求項１、５、９ないし１１、１２、１６、２０ないし２２２３及び２４、２５及び２６（それぞれ、訂正前の請求項４、８、１２ないし１４、１８、２２、２６ないし２８、３６及び３７、４０及び４１）に係る訂正は、特許異議の申立てがされていない請求項についての訂正であって、前掲２．２のように、訂正後の請求項５、９ないし１１、１６、２０ないし２２に係る訂正は、特許請求の範囲の減縮を目的としたものに該当するから、訂正明細書の前記各請求項に係る発明が特許出願の際独立して特許を受けることができるものであるか検討する。
　訂正明細書の請求項５、９ないし１１、１６、２０ないし２２に係る発明は、それぞれ、訂正明細書の特許請求の範囲の請求項５、９ないし１１、１６、２０ないし２２に記載されたとおりの事項により特定されるものである。（前記１．１訂正の内容参照）
　
２．３．２　刊行物
刊行物１：国際公開第９１／０７０３６号パンフレット（甲第１号証）
刊行物２：特表平７−５００２３５号公報（甲第２号証）
刊行物３：特表平７−５００２３６号公報（甲第３号証）
　刊行物１には、ＣＤＭＡセル電話システムにおいて、ダイバーシテイ、ハンドオフの技術が記載され、ＣＤＭＡ通信技術の衛星適用において、システム容量の向上は別のシステムの利用者への妨害を減少するように各自動車利用者の送信電力を制御することによって実現されること、自動車ユニットの移動のためにチャンネル状態が変化すると、自動車ユニット受信機パワー測定およびハブからフィードバックされたパワー制御の両者は適切な電力レベルを維持するように送信電力レベルを連続的に再調節すること、所望の電力レベルはシステム干渉を結果的に減少させるように高品質の通信を維持するために必要な最小の電力レベルとする旨記載されており（第３頁右下欄６行第４頁左上欄２行から抽出）、さらに、セル位置識別、システムタイミング、自動車ペイジング情報および種々の他の制御信号のような拡散スペクトル変調情報からなる設定チャネルを提供することが記載されている。（第６頁左上欄下４行〜下２行から抽出）
　刊行物２には、ＴＤＭＡによるパケットデータ転送方法において、サービス番号（ＳＮ）を使用してパケットをルート指定することにより転送容量を改善する技術が記載され、また、刊行物３には、ＴＤＭＡのセル式無線システムなどにおけるパケットデータ転送方法において、通常のページングメッセージとインタリーブして組織チャンネルに送られる通常の接続確立を生じることのない変更されたページングメッセージにおいて移動ステーションからベースステーションへユーザデータがパケット形態で転送される技術が記載されている。
　
訂正後の請求項５に係る発明について  
　刊行物１ないし３には、訂正後の請求項１に係る発明の構成要件である、「該パケット／ページングチャネルは、該データパケットが該基地局により受信されている時に該データパケットのパワーレベルを制御するためのパワー制御サブチャネルを有している」ことは記載されておらず、前記構成要件を備えた訂正後の請求項１を準用する訂正後の請求項５に係るデイジタル通信システムの発明が、刊行物１ないし３に記載された発明に基いて当業者が容易に発明をすることができたものとすることはできない。
　
訂正後の請求項９ないし１１に係る発明について
　訂正後の請求項９ないし１１に係る発明は、訂正請求後の請求項１を準用する請求項６を準用しており、前記訂正後の請求項５の場合と同じ趣旨により、刊行物１ないし３に記載された発明に基いて当業者が容易に発明をすることができたものとすることはできない。
　
訂正後の請求項１６に係る発明について
　訂正後の請求項１６に係るデータパケットを通信するための方法の発明は、訂正請求後の請求項１２を準用する訂正後の請求項１３を準用しており、訂正後の請求項１２のデータパケットを通信するための方法の「該データパケットを該基地局へ送る時に，該パケット／ページングチャネル上のパワー制御サブチャネルを介して，該データパケットのパワーレベルを制御することをさらに具備する」構成要件については、刊行物１ないし３に記載されておらず、これらの刊行物に記載された発明に基いて当業者が容易に発明をすることができたものとすることはできない。
　
訂正後の請求項２０ないし２２に係る発明について
　訂正後の請求項２０ないし２２に係る発明は、訂正請求後の請求項１２を準用する請求項１７の特定事項を備えており、前記訂正後の請求項１２の場合と同じ趣旨により、刊行物１ないし３に記載された発明に基いて当業者が容易に発明をすることができたものとすることはできない。
　
　したがって、訂正明細書の請求項５、９ないし１１、１６、２０ないし２２に係る発明は、出願の際、独立して特許を受けることができるものである。
　
２．４　むすび
　前記訂正は、特許法第１２０条の４第２項及び同条第３項において準用する第１２６条第２項から第４項の規定に適合するので、この訂正を認める。
　
３．特許異議の申立てについての判断
３．１　異議申立てについての概要
　異議申立人　ノキア・ジャパン株式会社は、下記の甲第１ないし３号証の刊行物に記載された発明に基いて、請求項１ないし３（削除）、５ないし７、９ないし１１、１５ないし１７（削除）、１９ないし２１、２３ないし２５、２９ないし３５（削除）、３８〜３９（削除）に係る各特許発明は当業者が容易になし得るものであるから、当該請求項に係る発明の特許は特許法第２９条第２項の規定に違反してなされたものであるから取り消すべき旨の主張をしている。
　　　　　　　　　　　記
甲第１号証：国際公開第９１／０７０３６号パンフレット
甲第２号証：特表平７−５００２３５号公報
甲第３号証：特表平７−５００２３６号公報
　
３．２　本件特許第３０９３２７７号の請求項５ないし７、９ないし１１、１９ないし２１、２３ないし２５に係る発明は、それぞれ訂正明細書の特許請求の範囲の請求項２ないし４、６ないし８、１３ないし１５、１７ないし１９に記載された事項により特定されるものである。（請求項１ないし３、１５ないし１７、２９ないし３５、３８〜３９は削除された。前記２．１訂正の内容参照。）
　
３．３　訂正明細書の請求項２ないし４、６ないし８、１３ないし１５、１７ないし１９ に係る発明について
　訂正明細書の請求項２ないし４に係るデジタル通信システムの発明は、訂正明細書の請求項１の構成要件を準用しているので、前掲２．３独立特許要件の項で既述のように、甲第１号証ないし甲第３号証（刊行物１ないし３）に記載された発明に基いて当業者が容易になし得るものであるとすることはできない。
　また、訂正明細書の請求項６ないし８の発明は、訂正明細書の請求項１の発明の特定事項を具備するので、同様の趣旨により、甲第１号証ないし甲第３号証に記載された発明に基いて当業者が容易になし得るものであるとすることはできない。
　訂正明細書の請求項１３ないし１５に係るデータパケットを通信するための方法に関する発明は、同請求項１２の特定事項を具備するので、前掲２．３独立特許要件の項で既述のように、甲第１号証ないし甲第３号証（刊行物１ないし３）に記載された発明に基いて当業者が容易になし得るものであるとすることはできない。
　また、訂正明細書の請求項１７ないし１９の発明についても同請求項１２の特定事項を具備するので、同様に甲第１号証ないし甲第３号証に記載された発明に基いて当業者が容易になし得るものであるとすることはできない。
　
３．４　むすび
　訂正明細書の請求項２ないし４、６ないし８、１３ないし１５、１７ないし１９ に係る発明の特許は、特許異議申立ての理由及び証拠によっては取り消すことはできない。
　また、他に特許第３０９３２７７号の前記各請求項に係る発明の特許を取り消すべき理由を発見しない。
　よって、結論のとおり決定する。
【異議決定日】
平成１５年１１月１０日（２００３．１１．１０）
【訂正の要旨】
審決（決定）の【理由】欄参照。
（５４）【発明の名称】
データサービスのためのランダムアクセス通信チヤネル
【発明の詳細な説明】
　　　発　明　の　背　景
Ｉ．発明の分野
　この発明はデータサービスのためのランダムアクセス通信チヤネルに関する。特に，本発明は，各々が通信源（ｒｅｓｏｕｒｃｅｓ）に対する可変で予測できない要求を各々有している，多数のパケットデータ利用者の間でのセルラ電話通信システムにおいて実在するチヤネル供給源をシエアする（ｓｈａｒｉｎｇ）ための方法に関する。
ＩＩ．関連技術の説明
　セルラ電話システムは，陸上電話システムモデル上でパタン化されている，音声サービスを伝統的に提供してきた。そのモデルにおいて，利用者は一つの電話端末と他のそのような端末との間での接続を要求することにより通話を設定する。該接続が確立すると，通話したパーテイ又は通話されたパーテイが該接続を解くことを要求するまでは，その接続は維持される。該接続が確立する間に，電話システムは中継バンド幅のようなシステム源を該通話に供する。通話者が話しているときか沈黙しているかにかかわらず，該源はいつでも供される。
　陸上電話モデルは，従来のセルラシステムに後を継がれる。例えば，そのモデルに続く二つのシステムは最新移動電話システム（”ＡＭＰＳ“）セルラシステムと，時分割マルチプルアクセス（”ＴＤＭＡ“）システムである。最新移動電話システムはＡＮＳＩ／ＴＩＡ−５５３（１９９３．９月），”移動局／陸上局両立仕様“に記述され，時分割マルチプルアクセスは，ＥＩＡ／ＴＩＡ／ＩＳ−５４−Ｂ（１９９２，９月），セルラシステムデュアルモード移動局／基地局両立標準に記述されている。ＴＩＡ／ＩＳ−９５，電話通信産業協会（１９９３年７月），デュアルモード広帯域スペクトラム拡散セルラシステムのための移動局／基地局両立標準に記述されている，符合分割マルチプルアクセス（”ＣＤＭＡ“）セルラシステムは，無線バンド幅のシエアリングを可能とし，移動切替えセンタ（”ＭＳＣ　“）と公衆選択電話ネットワーク（”ＰＳＴＮ“）との間での接続のための陸上電話モデルに続く。
　上述したＣＤＭＡシステムは，ＣＤＭＡスキームを使用するマルチプル通話に供するたろめに１．２３ＭＨｚを使用する。無線チャンネルをシエアする全ての利用者端末は同時に送信し，受信機は該端末からの受信されるべき信号を特定し復号するために独特の符合を利用する。該処理は，他の送信者により発生した干渉により制限される。望ましい信号が全べての干渉に比較して充分な強さを維持されることができるかぎり，該信号は成功裏に復調されることができる。しかし，利用者数がＣＤＭＡチャネルのキャパシテイを越えるときは，必要な信号強度は維持されることができない。このＣＤＭＡセルラシステムは各１．２３ＭＨｚ帯域においてセル当たり合計６４順方向リンクチャネルに供給する。そのようなシステムは良好な伝搬と干渉条件の下で１．２３ＭＨｚにおいてセル当たり６０以上の同時通話を支援することが，経験上示される。
　ＣＤＭＡセルラ電話システムはまた，その多くが通話中に不使用（ｉｄｌｅ），すなわち必要とされない，大数のセルラ電話ユニットにサービスする手段を提供する。それらの不使用ユニットは”ページングチャネル“として知られる特別の制御チャネルをモニタし，それはシステム情報とページングメッセージを継続して送信する。ページングメッセージは，あるセルラが移動体への接続確立を希望する移動端末に知らせるために使用される。各ページングチャネルは一つ以上の関連する”アクセスチャネル“を有する。該アクセスチヤネルはマルチプル−アクセス　プロトコルを使用し，それにより移動端末は通話要求（始まり）を送信し，そしてページングメッセージに答える。通話が確立されると，該セルラ基地局は，通話期間中に音声情報をキャリーするために供されたトラフィツクチャネルを該移動局に割り当てる。
　該ＣＤＭＡシステムは移動端末の不使用を利用するために開発された。もしもこれがそうでなければ，該システム設計において供されたチャネルの制限された数の故に，支援される移動端末の数はセル当たり６４より少ない数に限定される。多くの端末が不使用であることから，該システムはセル当たり数オーダーの移動端末を支援することができ，これにより上限として６４チャネルの選択が正統かされる。
　パケットデータサービスの利用者はしはしば，パケットデータセッションのコースを越えて変化する方法でシステム源を利用する。フアイル移動，イ−メール，そして情報訂正は，このパターンに続くパケットデータサービスの例である。それらのサービスのために，利用者がフアイル，イーメール或いは訂正されるべき他の情報を選択する間に，いくつかのパケツトが送られ，それから該情報が移動される間に，パケットの長いシーケンスが送られ又は受信される。
　データパケットサービスの他のタイプにおいて，いくつかのパケットのみがデータ交換の間に送られ，そして該交換は不規則なベースに基いて発生する。そのようなサービスの例には，信用証明，メッセージとページングサービス，順位エントリ，及び配送経路指示が含まれる。
　データパケットサービスのそれら二つのタイプが源を利用する方法は，パケットサービスが二つの基本的サービスモードを供すべきことを示唆する。第一に，多量のデータが移動されるそれらのケースのために，サービスモードはデータ処理能力を最適化するのに利用可能でなければならない。第二に，パケット送信が時たまかつ，不規則であるケースに対しては，各利用者へチャンネル割当を供する（ｄｅｄｉｃａｔｅ）ことはシステム源の無駄である。なぜならば，供されたチャンネルが多くの時間利用されないことから。それから，この第二のケースのために，サービスモードは源のシエアリング，すなわちチャネルの取り扱いを最適化するのに利用可能でなければならない。パケットサービスが，取り扱い要求に応答して二つのモードの間で切替わることが可能であるべきである。
　しかし，ＣＤＭＡを含む従来のセルラシステムは，データパケットサービスの二つのタイプを効率的かつ効果的に扱う能力も，二つの間で切り換える能力も有していない。ＣＤＭＡトラフィツクチャネルが供されたチャネル割当を供し，そしてチャネルシエアリングから結果として起こる処理能力減を阻止するために高い処理能力パケットサービスを扱うために利用され得るが，それらは低い処理能力，不規則かつ時たまのデータパケット送信のために非効率的である。このように，マルチプル−アクセス　プロトコルが源のシエアリングを最適化するサービスモードのために要求される。
　マルチプル−アクセス　プロトコルを提供するにもかかわらず，現在のＣＤＭＡページング及びアクセス　チャネルはデータパケットサービスに適していない方法で動作する。例えば，それらのチャネルは，ただ小さいパケットサイズを支援できるのみであり，それは該チャネルの効果的処理能力を減ずる。なぜならば各パケットはオーバヘッド（ｏｖｅｒｈｅａｄ）としてヘッダ情報を有しているから。このーバヘッドは，該パケットが小さい時に，利用可能なチャネル帯域幅のより大きな部分を占める。
　さらに，ページングとアクセスチャネルは，それらのアクセス方法の故に，長いパケットサイズを支援することができない。該アクセスチャネルは，長期化された送信期間中に受け入れ可能な範囲における移動端末の信号強度を基地局が維持できるようにするであろうところのいかなるパワー制御フイードバックをも供しない。代りに，基地局が該メッセージの受信を認識するまで，移動端末は連続する試み上で送信パワーを増加させつつ，単純にメッセージを反復して送信する。より長いメッセージは干渉やフエージイングにより引き起こされたエラーにより影響されやすいことから，長いメッセージを送信しようとする時には，移動端末のパワーレベルは非常に高いレベルに達する。これは送信期間中に他の利用者に過剰な干渉を引き起こす結果となる。さらに，ページングチャネル上で，長いパケットは，チャネルの構造の故に，支援されることができない。メッセージは最大２５５オクテット（オクテット＝８ビットバイト）に制限され，そしてより長いメッセージを細片にする（ｆｒａｇｍｅｎｔ）ためのいかなるメカニズムも存在しない。　またアクセスチャネルはマルチプル伝搬路を特定することができない。トラフイックチャネル上で，各移動端末は，信号結合方法を利用して，マルチプル伝搬路を特定し活用するために，基地局により利用される独特の拡散コードを有する。。対照的に，アクセスチャネル上，全ての移動端末は，他の移動端末からの送信から分離不可能なマルチプル伝搬路を作って，送信のために同じ拡散コードを利用する。
　ある現在のシステムにおいて，バースト中でデータパケットを送信する多くの利用者から個々のデータパケットの配送に基いて，無接続のデータサービスを供することが可能である。そのようなサービスは，固定された通信源割当を好ましくは利用せず，そしてマルチプル利用者の間でそのような源のシエアリングを可能とする。しかし，多くの現在の通信システムにおいて，そして特定のデイジタルセルラシステムとＣＤＭＡセルラにおいて，いかなる能力も多くのバスト状の（ｂｕｒｓｔｙ）利用者からのデータパケットを通信するためには存在しない。そのようなシステムにおいて，無接続のデータサービスのための効率的な支援は無線チャネル上と陸上ネットワークにおいて使用されるアクセス方法における変革を要求する。
　それ故に，多数のバースト状のパケットデータの利用者の間で通信チヤネル源をシェアすることができるランダムアクセスデータパケットチャネルを求める必要性が存在しており，各々は，通信源のための及びそのようなランダムアクセスチャネルと供されたデータチャネルとの間で切替える方法のための，可変で予測できない要求を持っている。またランダムアクセスチャネル上の利用者と，制御チヤネルを有するランダムアクセスチャネルをオーバレイする（ｏｖｅｒｌａｙｉｎｇ）ためのスキームとを特定するのに使用され得るコードスキームを求める必要性が存在する。
　　　発　明　の　要　約
　従って，本発明は関連技術の制限及び欠点に由来する一つ以上の課題を実質的に除くところのワイヤレス通信システムにおいてパケットデータサービスのためのランダムアクセスチャネルに向けられている。
　本発明のさらなる特徴および利点は以下の説明に示されており，一部は該説明から明らかになるであろう。また，本発明の実施により習得されることができる。本願発明の目的と他の利点は，添付された図面と同様に，本願の記述とクレームにおいて特に指摘された装置により実現され，達成されるであろう。
　それらの及び他の利点を達成するために，そしてここに具体的にかつ広く説明されるように該発明の目的に従って，本発明は，デジタル情報を通信するためのデジタル通信システムにおいて，該デジタル通信システムは順方向リンクと逆方向リンクとを持ち，デジタルデータパケットを通信するためのシステムである。本発明の該システムはガイ逆方向リンク上のランダムアクセイチヤネル上で該デジタルデータパケットを送るための，及び該順方向リンクからデジタル情報を受信するための，デジタルトランシーバを具備している。該システムはさらに逆方向リンクからランダムアクセスチヤネル上でデジタルデータパケットを受信するために，及び順方向りんく上でデジタル情報を送るために，デジタル基地局を具備している。ここにおいて，デジタルトランシーバはランダムアクセスチヤネル上でパケットサービス要求をなし，これによりランダムアクセスチヤネルをシエアする。
　他の観点で，デジタル情報を通信するためのデジタル通信システムにおいて，デジタル通信システムは順方向リンクと逆方向リンクとを持ち，本発明はデジタルデータパケットを通信するための方法である。この方法は，逆方向リンク上のランダムアクセスチヤネル上でデジタルデータパケットを送り，そして多数のデジタルトランシーバにより順方向リンクからデジタル情報を受信することを包含している。さらに該方法は，逆方向リンクからランダムアクセスチヤネル上でデジタルデータパケットを受信し，デジタル基地局により順方向リンク上でデジタル情報を送る，ことを包含する。ここにおいて，デジタルトランシーバはランダムアクセスチヤネル上でパケットサービス要求を為し，これによりランダムアクセスチヤネルをシエアする。
　他の観点で，デジタル情報を通信するためのデジタル通信システムにおいて，デジタル通信システムはデジタルトランシーバとデジタル基地局とを有し，デジタルトランシーバは帯域幅要求持ち，本発明はデジタルデータパケットを通信するためのシステムである。本発明のシステムは，ランダムアクセスチヤネルと，デジタルトランシーバとデジタル基地局との間でデジタルデータパケットを通信するための供されたチヤネルとを包含する。このシステムはさらに，帯域幅要求が一番目の閾値レベルを越える場合ランダムアクセスチヤネルから，供されたチヤネルへ切替えるための，及び帯域幅要求が第二の閾値より低下する場合，供されたチヤネルからランダムアクセスチヤネルへ切替えるためのプロセッサを具備している。及び／又はデジタルトランシーバは，高い移動性であれば，一つの基地局のカバレージ領域から他のカバレージ領域にたびたび移動する。
　他の観点で，アクセス要求を為すためのシステム情報とアクセスチヤネルを通信するための放送チヤネルを持つデジタル通信システムにおいて，システム情報はページング情報を含んでおり，デジタル通信システムは特定のロングコードを各々持つ複数のトランシーバを含んでおり，本発明はデジタルパケットを通信するためのシステムである。本発明のシステムにおいて，複数のトランシーバ間からひとつの通信するトランシーバがパケットサービスを開始し，アクセスチヤネル上で探索器予約を要求し，そして符号化されたデジタルパケットを得るために通信するトランシーバに応じて特定ロングコードを使用するランダムアクセスチヤネル上でデジタルデータパケットを送る。システムは基地局を具備する。基地局は複数の探索器と，複数の探索器から自由な探索器を位置付けるための，及び通信するトランシーバに応じた特定のロングコードを自由な探索器に送るための制御器を含んでいる。さらに，基地局は自由な探索器を通信するトランシーバに割り当て，ランダムアクセスチヤネル上で通信するトランシーバから符号化されたデジタルデータパケットを受信する。
　上記の記述と以下の記述における全てのシステムと方法において，デイジタルデータは符合分割マルチプルアクセス（ＣＤＭＡ）を使用するデイジタルセルラ通信システムにより通信されることができる。ＣＤＭＡは，通信を符号化することにより通信を多重化するスペクトラム拡散方法であり，その結果，それらは各々特色を有している。ＣＤＭＡ多重化は，このスペマトラム拡散技術無しにはそれ以外に可能であろう以上に，多数のトランシーバ（ｔｒａｎｓｃｅｉｖｅｒ）（すなわち移動電話ユニット）が通信ネットワークの中で通信可能とする。
　前記の一般説明と以下の詳細な説明とは例示かつ説明のためのみのものであり，クレームされた発明を何等制限するものではない。
　添付した図面は，本発明の原理を説明し，該説明と一緒になって本発明の実施の形態を示し，本発明のさらなる理解のために供するものであり，この明細書の一部に取り込まれ，該明細書の一部を構成する。
　　　図面の簡単な説明
　本発明の特徴、目的および利点は、図面を参照した以下の詳細な説明からより明らかになるであろう。図面において、同様の参照記号は図中の対応部分を示す。　図１は典型的な移動セルラ電話システムの図式的な外観である。
　図２は本発明に従った探索器予約手順の図式的な外観である。
　図３は本発明に従った逆方向リンク通信のために供されたチャネルとランダムアクセスチャネルとの間での切替え処理の図式的な外観である。
　図４は順方向リンクパケット／ページングチャネル上で使用されるロングコードマスク（Ｌｏｎｇ　Ｃｏｄｅ　Ｍａｓｋ）を示している。
　図５Ａと図５Ｂは本発明に従った順方向リンクパケット／ページングチャネルの構造を図示している。
　図６Ａと図６Ｂは本発明のパケット／ページングチャネルのパケットサブチャネルの構造を図示している。
　図７Ａ−７Ｃは本発明のパケットサブチャネルの１／２フレーム構造を図示している。
　図８はパケットサブチャネル上で送られたメッセージの構造を示している。
　図９は本発明に従ったランダムアクセスチャネル（又は逆方向パケットチャネル）の同期化を図示している。
　図１０は本発明の逆方向パケットチャネル上で送られた通信の構造を示している。
　図１１は本発明の逆方向パケットチャネル上で送られた通信のメッセージ部分を示している。
　図１２Ａ−１２Ｃは本発明に従った典型的な移動局探索器管理スキームを示す流れ図である。
　図１３Ａ−１３Ｅは本発明の従った典型的な基地局探索器管理スキームを示す流れ図である。
　　　好適な実施の形態の詳細な説明
　本発明の現在の好適な実施の形態のために詳細に言及される。その例は添付した図面に示されている。可能であればどこでも，同じ参照記号が同じ又は同様の部分を参照するために図面を通して使用される。
　本発明に従って，順方向リンクと逆方向リンクを有するデイジタル情報を通信するためのデイジタル通信システムにおいて，デイジタルデータパケットのために，システムと方法が供される。逆方向リンク上のランダムアクセスチャネルでデイジタルデータパケットを送るために，及び順方向リンクからデイジタル情報を受信するために，該システムはデイジタルトランシーバ，例えば移動セルラ電話を含んでいる。該システムはまた，逆方向リンクからランダムアクセスチャネル上でデイジタルデータパケットを受信するための，及び順方向リンク上でデイジタル情報を送るための，デイジタル基地局を含んでいる。該デイジタルトランシーバはパケットサービス要求を作成し，それによりランダムアクセスチャネルをシエアする。
１．システム設計
Ａ．出願
　本発明を具体化する地上デイジタルセルラ移動電話システムの典型的な実施の形態は図１に示されており，参照記号１００により一般に指定される。図１に示されたデイジタル通信システムは，ＴＤＭＡ，ＣＤＭＡ，或いは遠隔の利用者ユニット１０２，１０４（固定された，又は移動体であり得，移動局としてまた参照それる）と，セルサイト（又は基地局）１０８との間での通信における他のデイジタル変調技術を，利用することができる。
　以下の説明において，用語”セル−サイト“と”基地局“は遠隔及び／又は移動ユニットと大気中で通信する地上トランシーバを参照するために使用される。しかし，本発明はセルラシステム及びこうしてセルサイトに限定する意図はない。大都市におけるセルラシステムは数百又は数千の移動電話１０２と多くのセル−サイトを有している。しかし，現システムは移動電話１０２に限定されず，固定位置セルラ通信装置を相互連結するために使用される。例えば，建物の中のある装置とデータを収集する切替え局１１０との間でデータ及び／又は音声通信を送受信するために，建物にセルラトランシーバ１０４を供給することができる。セルサイト１０８から遠隔利用者ユニット１０２，１０４への伝達は順方向リンク１２０上で送られる。しかし反対方向での伝達は逆方向リンク１３０上で送られる。セルサイト１０８は迂回中継１４０を経由して切替え局１１０に結合されか，大気中を切替え局１１０にリンクされ得る。
　そのような利用者の例は，広い範囲に多くの自動販売機を有し，それらの自動販売機の要求を監視する必要がある企業である。自動販売機はデイジタルセルラトランシーバを装備し，切替え局１１０とのデータの送受信を行うことができる。このデータには供給が低下しているか否か，機械が故障しているか否かが含まれる。そのような応用において，自動販売機はいつでも多量のデータを通信する必要はなく，状態報告や故障のようなむしろ短いパケットを散発的に通信することが必要である。切替え局１１０へデータパケットを通信することを必要とする多くの自動販売機に対して，そしてその逆に対して，供された通信チャネル上で自動販売機通信を持つことは非効率的で非実際的である。そのシステムにおいてはチャネル時刻を要求した各自動販売機にシステム源が与えられる。
　より効率的なアプローチは自動販売機が切替え局１１０と通信できるランダムアクセスチヤネルを提供することである。ランダムアクセスチャネルにより，自動販売機は，自動販売機が必要とする時にのみチャネル時刻を要求することができる。自動販売機がまれに及び簡潔にのみチヤネル時刻を要求する故に，文字通り数千の自動販売機はランダムアクセスチャネルが混んでいることに起因する重要な伝送遅延無しに単一のランダムアクセスチャネルをシエアすることができる。
　デイジタルセルラシステム上のランダムアクセスチャネルが有益である他の応用は一団のタクシが運航管理者に情報を報告するところである。各タクシは例えばタクシの位置及び利用可能性について，運航管理者と通信を維持しなければならず，そしてサービスを求める要求を監視しなければならない。自動販売機の例のように，多くのタクシはただ散発的に送られるデタパケットと運航管理者と通信しなければならない。従って，この例において，ランダムアクセスチヤネルはタクシの一団と運航管理者の通信需要に対して，ひとつの供されたデータチャネル以上に，より効率的なサービスをする。さらに，タクシは，必要とする時に運航管理者と音声により通信することができ，かつ運行管理者からのデータを送受信できる音声／データトランシーバを備えることができる。そのようなシステムにおいては音声とデータの通信はデイジタル形式であることから，デイジタルシステムを使用することにより音声とデータを同じシステム上で通信することが可能である。
　それ故に，本発明に従って，ランタムアクセスチャネル上で短いデイジタルデータパケットを通信するためのシステムは，図１のシステム１００の中で提供される。本発明のシステムのさらなる特徴はシステム１００の中で供されたデータチャネル上でデイジタルデータパケットを送れる能力である。ランダムアクセスチヤネルと供されたチャネル上でデイジタルデータパケットの送信を容易とするために，本発明はランダムアクセスと供されたデータチャネルとの間での切替え手段を含んでおり，データパケットを通信している利用者（又は移動ユニット）の帯域幅要求に依存する。ランダムアクセスと供されたデータチヤネルとの間での切り換え手段を含む本発明の詳細は，以下に詳細に説明される。
　いかなるデジタル通信システムにも適用できるが，本発明のシステムは，ＣＤＭＡ技術を使用することに特に適している。ＣＤＭＡシステムにおいて，”利用者特定ロングコード（Ｕｓｅｒ　Ｓｐｅｃｉｆｉｃ　Ｌｏｎｇ　Ｃｏｄｅ）“が該システム上で送られるた符号化データ及び音声の伝送に使用される。ここに使用されるように，用語・利用者特定ロングコード（或いはロングコード）は送信を符号化するために使用される一般の拡散コードを指している。利用者特定ロングコードの使用はスペクトラム拡散技術であり，該技術によりデータとおんせいの伝送は一人の利用者のデータ又は音声を他の利用者から区別できるように変られる。このように，利用者特定ロングコードは多くの利用者から一人のシステム利用者を区別し，そして全ての他の利用者のデータの合計からその一人の利用者のデータを摘出するる手段である。
　ここで説明するように，利用者特定ロングコードは，それらが一つの変調記号時刻上で相互に関連しないように選択される。二つのロングコードは，もしもそれらを排他的オアする結果，充分に平均した時に１の数と０の数が等しいならば，相互に関連しない。例えば，０１１０　ＸＯＲ　０１０１＝００１１，すなわち１の数と０の数が同じであるから，０１１０と０１０１とは直交する。最大限−長シフトレジスタシーケンスの一時的なシフトとして発生されたロングコードは関連しないコードを作る手段の例である。該ロングコードが長い期間を有するように，すなわちロングコードのパターンが非常にまれに反復するように，該ロングコードは形成される。例えば，もしもロングコードが４２ビットの長さであれば，該期間は２４２−１である。　該システム上の多くの利用者の一人により送られたデータが全ての他の利用者のデータから区別できなければならない故に，ロングコードは全体的にランダムに現れなければならない。その結果，二人の利用者は同じロングコードを持たない。そのような長い期間もって，ロングコードが非常にまれに反復することから，２４２−１の期間のようなロングコードのための長い期間は，この目標を達成する。それから，実行において，そのような長い期間を持つ該ロングコードは平均して一つの情報ビット時刻上で関連しない。直交するロングコードの利用は，当該分野の当業者によく知られている。
　本発明に従って，探索器，及び制御器ユニットからの命令に応答する変調要素とは，利用者情報信号を得て復調する。探索器要素は，特別の利用者情報信号の探索において時刻領域ウインドを連続してスキャン（ｓｃａｎ）するスライデイング相関器受信機（ｓｌｉｄｉｎｇ　ｃｏｒｒｅｌａｔｏｒ　ｒｅｃｅｉｖｅｒ）である。多重復調要素をもつシステムにおいて，探索器要素はまた開発してきたマルチパス信号の探索において該信号の名目上の到達頃に一組の時刻オフセットをスキャンする。典型的には，制御器は探索器を基地局アンテナからの受信信号をスキヤンするように命令し，該受信信号を，特定の移動送信器と提携された既知のＰＮ拡散シーケンス（又はロングコード）と関連させる。この目的のために相関器を実施するための方法は，．当該分野の当業者には良く知られている。
　図２に示された一つの実施の形態において，復調器２０６Ａ−２０６Ｃはそれぞれページング／アクセス，ページング／ランダムアクセス及びトラフイックチャネル機能のために信号を受信するように永続的に割当られている。対応する探索器２１０Ａ−２１０Ｎは，制御器２１２により要求されるように，そして相互連結バス２１４上で通信されるように，復調器２０６Ａ−２０６Ｃに割り当てられ，割り当てが解除される。一般に，利用者（又はトランシーバ）がデータ伝送セッションを開始する時に，探索器は利用者特定ロングコードを探索するために割り当てられる。後で詳述するように，復調器割り当てスキームへの探索器は，比較的少数の探索器が潜在的に数千の利用者にサービスを提供できるようにする。また特に制御器２１２の制御の下で，復調器要素２０６Ａ−２０６Ｃは，以前に記入された目的以外の目的のために信号を受信するようにまた割り当てられることを留意せねばならない。
　ＣＤＭＡシステムにおいて，各トランシーバはそれ自信の個人的，永続的ロングコードを有し，各セルサイト１０８は特定ロングコードを使用する伝送を探索する探索器を持っている。（しかし，個人ロングコードを形成して，該セルサイト１０８がダイナミックにロングコードを割り当てできるように，ロングコードは永続的である必要はない）。一利用者がいつでもデータを伝送できるが，セルサイト１０８が該データを受信するために，セルサイト１０８は探索器にその利用者トランシーバに応じてロングコードを割り当てねばならない。上記で留意したように，多くの利用者（多分数千の利用者）はランダムアクセスチヤネルを経由して単一のセルサイト１０８へデータパケットを伝送するように試みることができる。そのように多数の利用者とともに，もしも各人がその利用者のロングコードのみを探索する自分の個人探索器を持つとすると，該システムは全ての利用者を扱うためには数千の探索器を必要とする。
　それ故に，本発明においては，各利用者はその利用者により伝送されたデータが基地局により受信できる前に，探索器を割り当てられねばない。図２を参照して，システムの利用者２０２が切替え局１１０に送るべきデータを持っている時，該利用者２０２は，標準のアクセスチャネル２０４上でパケットデータ伝送要求を行う。それは逆方向リンク上で，すなわち利用者２０２からセルサイト１０８へ，システムを稼働する。該システムの各アクセスチャネル２０４は自分自身の特定ロングコードを有しているが，各利用者２０２はそのロングコードについて前の知識を有しているおり，アクセスチヤネル上でセルサイト１０８のページング／アクセスチヤネルトランシーバ２０６Ａへ伝送するためにそのロングコードをそのように利用し，該セルサイト１０８へのアクセスを得る。該伝送はトランシーバ２０６Ａに結合されるアンテナ２０７によりセルサイト１０８で集められる。このアクセスチャネル伝送に基いて，セルサイト１０８はランダムアクセスチヤネル２０８にアクセスするための利用者２０２の要求を学習する。そしてそれによりページング／ランダムアクセストランシーバ２０６Ｂ上でパケットデータを伝送る。該利用者２０２は該ランダムアクセスチヤネル２０８に割り当てられる（すなわちアクセスが許される）。
　該利用者２０２はそれから探索器２１０が該利用者に割り当てられることを要求しているページング／ランダムアクセストランシーバ２０６Ｂにアクセスチャネル上で　信号を送る。トランシーバ２０６Ｂは信号を制御器２１２に送り，利用者２０２に割り当てられ得る利用可能な探索器２１０間から自由な探索器を制御器２１２が位置付けることを求める。制御器２１２は探索器２１０を審査し，探索器２１０の間から自由な探索器（すなわち，他の利用者に現在割り当てられていない）を位置付ける。制御器２１２が自由な探索器を位置付けると，それは自由な探索器を利用者２０２に割り当てる。各利用者の特定ロングコードについて前の知識を持っている，セルサイト１０８において，トランシーバ２０６Ｂは利用者２０２のロングコードを制御器２１２に送り，制御器２１２は該ロングコードを自由な探索器に置き直す。
　利用者２０２に割り当てられた自由な探索器は利用者２０２により伝送されたデータパケットの探索を開始することができる。しかし，自由な探索器は利用者２０２がデータパケットを伝送する時には何の情報も持っていない。それゆえに，自由な探索器は利用者２０２のロングコードにより符号化された信号の探索を単に開始する。もしも該自由な探索器が利用者のロングコードを持つ多の信号を発見すると，自由な探索器は多の信号をそのように受信し，それらを適当に処理する。例えば，下記に詳述するように，利用者２０２のために効果的なＳ／Ｎ比を最大にするように，それらの信号を結合する。
　従って，ロングコードの特異性は信号結合方法を利用してマルチ伝達パスを特定し開発するためにセルサイト１０８により利用される。信号が利用者２０２とセルサイト１０８との間で送られる時は，該信号は幾つかの伝達パスを同様に取るであろうし，その結果，少し異なる時刻でセルサイト１０８に到達するという同じ信号の幾つかのバージヨンとなる。例えば，信号が送信器と受信機との間の建物や他の構造物で反射される時，マルチパスは発生する。
　図２に示された一つの実施の形態において，復調器２０６Ａ−２０６Ｃはそれぞれページング／アクセス，ページング／ランダムアクセス及びトラフイックチャネル機能のために信号を受信するように永続的に割当られている。対応する探索器２１０Ａ−２１０Ｎは，制御器２１２により要求されるように，そして相互連結バス２１４上で通信されるように，復調器２０６Ａ−２０６Ｃに割り当てられ，割り当てが解除される。一般に，利用者（又はトランシーバ）がデータ送信セッションを開始する時に，探索器は利用者特定ロングコードを探索するために割り当てられる。後で詳述するように，復調器割り当てスキームへの探索器は，比較的少数の探索器が潜在的に数千の利用者にサービスを提供できるようにする。また特に制御器２１２の制御の下で，復調器要素２０６Ａ−２０６Ｃは，以前に記入された目的以外の目的のために信号を受信するようにまた割り当てられることを留意せねばならない。
　ＣＤＭＡシステムにおいて，各トランシーバはそれ自信の個人的，永続的ロングコードを有し，各セルサイト１０８は特定ロングコードを使用する送信を探索する探索器を持っている。（しかし，個人ロングコードを形成して，該セルサイト１０８がダイナミックにロングコードを割り当てできるように，ロングコードは永続的である必要はない）。一利用者がいつでもデータを送信できるが，セルサイト１０８が該データを受信するために，セルサイト１０８は探索器にその利用者トランシーバに応じてロングコードを割り当てねばならない。上記で留意したように，多くの利用者（多分数千の利用者）はランダムアクセスチヤネルを経由して単一のセルサイト１０８へデータパケットを送信するように試みることができる。そのように多数の利用者とともに，もしも各人がその利用者のロングコードのみを探索する自分の個人探索器を持つとすると，該システムは全ての利用者を扱うためには数千の探索器を必要とする。
　それ故に，本発明においては，各利用者はその利用者により送信されたデータが基地局により受信できる前に，探索器を割り当てられねばない。図２を参照して，システムの利用者２０２が切替え局１１０に送るべきデータを持っている時，該利用者２０２は，標準のアクセスチャネル２０４上でパケット　データ送信要求を行う。それは逆方向リンク上で，すなわち利用者２０２からセルサイト１０８へ，システムを稼働する。該システムの各アクセスチャネル２０４は自分自身の特定ロングコードを有しているが，各利用者２０２はそのロング　コードについて前の知識を有しているおり，アクセス　チヤネル上でセルサイト１０８のページング／アクセスチヤネル　トランシーバ２０６Ａへ送信するためにそのロング　コードをそのように利用し，該セルサイト１０８へのアクセスを得る。該送信はトランシーバ２０６Ａに結合されるアンテナ２０７によりセルサイト１０８で集められる。
　このアクセスチャネル送信に基いて，セルサイト１０８はランダムアクセスチヤネル２０８にアクセスするための利用者２０２の要求を学習する。そしてそれによりページング／ランダムアクセストランシーバ２０６Ｂ上でパケットデータを送信る。該利用者２０２は該ランダムアクセス　チヤネル２０８に割り当てられる（すなわちアクセスが許される）。
　該利用者２０２はそれから探索器２１０が該利用者に割り当てられることを要求しているページング／ランダムアクセストランシーバ２０６Ｂにアクセスチャネル上で　信号を送る。トランシーバ２０６Ｂは信号を制御器２１２に送り，利用者２０２に割り当てられ得る利用可能な探索器２１０間から自由な探索器を制御器２１２が位置付けることを求める。制御器２１２は探索器２１０を審査し，探索器２１０の間から自由な探索器（すなわち，他の利用者に現在割り当てられていない）を位置付ける。制御器２１２が自由な探索器を位置付けると，それは自由な探索器を利用者２０２に割り当てる。各利用者の特定ロングコードについて前の知識を持っている，セルサイト１０８において，トランシーバ２０６Ｂは利用者２０２のロング　コードを制御器２１２に送り，制御器２１２は該ロングコードを自由な探索器に置き直す。
　利用者２０２に割り当てられた自由な探索器は利用者２０２により送信されたデータパケットの探索を開始することができる。しかし，自由な探索器は利用者２０２がデータパケットを送信する時には何の情報も持っていない。それゆえに，自由な探索器は利用者２０２のロング　コードにより符号化された信号の探索を単に開始する。もしも該自由な探索器が利用者のロング　コードを持つ多の信号を発見すると，自由な探索器は多の信号をそのように受信し，それらを適当に処理する。例えば，下記に詳述するように，利用者２０２のために効果的なＳ／Ｎ比を最大にするように，それらの信号を結合する。
　従って，ロングコードの特異性は信号結合方法を利用してマルチ伝達パスを特定し開発するためにセルサイト１０８により利用される。信号が利用者２０２とセルサイト１０８との間で送られる時は，該信号は幾つかの伝達パスを同様に取るであろうし，その結果，少し異なる時刻でセルサイト１０８に到達するという同じ信号の幾つかのバージヨンとなる。例えば，信号が送信器と受信機との間の建物や他の構造物で反射される時，マルチパスは発生する。各利用者の送信データのための特定ロングコードを使用することにより，もしもセルサイト１０８が幾つかの信号を受信する場合，それは他の利用者から一人の利用者の送信を区別することができる。その結果，セルサイト１０８は他の利用者により送られたそれらから関心のある特定の利用者からのマルチパス信号を区別することができる。信号結合方法を利用するセルサイト１０８は一人の利用者からのマルチ　パス信号を受け，それらを結合して，受信アンテナ２０７で利用可能な全てのエネルギを利用することにより，及び破壊的な結合（すなわち，位相外れ（ｏｕｔ　ｏｆ　ｐｈａｓｅ））からマルチパスを阻止することにより，マルチパスフェージングと戦う。信号結合方法は，当該分野の当業者には良く知られている。
　このように，利用者２０２はトランシーバ２０６Ｂが利用者２０２からのデータパケットを受信する前に探索器割り当てを得なければならない。結果として，各システム利用者が自身の恒久的に割り当てられた特異な探索器を有していないことから，各利用者は自身の個人的探索器を持つ必要はなく，その結果，各セルサイト１０８で要求される探索器２１０の数を減ずる。該システム上で予想された利用者ロードを扱うために充分な探索器２１０のみが必要であり，それはデータパケット送信を同時に送ることを試みるであろう全データパケット利用者の予想される最大数の関数である。もしもこの利用者の最大数が超過する場合，すなわちデータパケットを通信するための全てのチヤネルが塞がっている場合，塞がっている旨の信号を受信するいずれの利用者も自由な探索器を割り当てられるための列に配列される。利用者２０２は，自由探索器が送信データを持つ度に該自由探索器を求める要求を配列してはならない。むしろ，本発明の探索器予約スキームが利用者２０２により送られたデータパケット間で利用者２０２に割り当てられた自由探索器を残すであろう。本発明の探索器予約スキームは探索器を予約する利用者からの未解決の要求を扱うために優先割り当てアリゴリズムを利用するが，該探索器予約スキームは以下に詳細に説明される。
　ランタムアクセスチャネル及び供されたデータチャネル上で，送信される信号のパワーレベルは，送信効率を最適化するために及び送信されたデータのいずれをも失うことがないように充分なパワーレベルを維持するために，制御されることができる。通信システムにおいては，最小閾値パワーレベルがデータ送信のために存在する。信号のパワーレベルがその閾値レベル以下に下がった時は，セルサイト１０８はデータを読むことができず，結果としてデータは失われる。一方，信号の強度が最小閾値パワーレベルを充分に越えている時は，信号は該システム内で送信される他の信号と干渉し，また結果としてデータは失われる。従って，通信システム上で送信される信号のパワーレベルを制御することは望ましいばかりでなく，絶対必要である。
　種々のパワー制御システムが当該分野の当業者には良く知られており，ＣＤＭＡのようなスペクトラム拡散技術による通信システムと互換性を持っている。二つのそのようなシステムは米国特許第５，０５６，１０９号と５，２５７，２８３に説明されており，これらの特許は本発明の譲受人に譲渡されている。図１を参照して，これらのシステムにおいて，信号パワーを送信されたセルサイト１０８は遠隔のユニット（例．参照記号１０２又は１０４）により受信された時に計測され，そして送信されたパワーは受信信号のパワーが増加又は減少することに関連して反対の態様で該ユニットに調整される。従って，パワー制御フイードバックスキームが使用される。このスキームにおいて，遠隔のユニット１０２と通信するセルサイト１０８において，遠隔のユニット１０２から送信されたパワーはセルサイト１０８で受信された時に計測される。要求信号はセル　サイト１０８で形成され，信号パワーが受信されたセルサイト１０８における離路（ｄｅｖｉａｔｉｏｎ）に対応して遠隔のユニット１０２の送信パワーを調整するために遠隔のユニット１０２に送信される。該フイードバックスキームは望ましいパワーレベルでセルサイト１０８に到達るように遠隔のユニット１０２の送信パワーを調整するために使用される。
　ＣＤＭＡシステムにおいて，例えば，トラフィツクチヤネルが遠隔のユニット１０２とセルサイト１０８との間で或る送信を扱うために供される。そのような送信は音声とデータ信号を含んでいる。ＣＤＭＡシステムは本発明のランダムアクセスチャネルをまた組み込むことができ，それは遠隔のユニット１０２とセルサイト１０８との間で送信されたデータパケットを扱うために使用される。本発明に従って，トラフイックチャネルとランダムアクセスチャネル上で同じパワー制御方法を利用することは好ましい。ランダムアクセスチャネル上でのロングコードの使用は，個々の利用者のパワーレベルを特定することを可能とし，それゆえにそれらのパワーレベルを制御することを可能とする。
　上記で留意したように，図２を参照して，本発明に従って，ランダムアクセスチヤネル２０８と供されたデータチヤネル２１４とは同じ通信システムにおいて実施するることができる。ランダムアクセス２０８と供されたチヤネル２１４とはデータパケットを送信するために使用される。データを通信する多くの利用者２０２を有するシステムは両タイプのチヤネル２０８を持つことができ，それゆえに広範囲の種々のデータサービスを提供することができる。このように，利用者２０２がホームベース１１０に移すべき多量のデータヲ有する時，チャネル割り当ては利用者２０２に供される。供されたチヤネル２１４に割り当てられた利用者２０２のみが，該利用者２０２がそのデータ移動を完遂するまで，そのチヤネル上でデータを送信することが許される。一方，利用者２０２がバースト（ｂｕｒｓｔ）データを送信する時，バースト状の送信がなされなければならない時に多くの利用者によりシエアされ，かつ要求によりアクセスされるランダムアクセスチヤネル２０８上で送られたそれらのバーストを持つこつが好ましい。
　図３を参照して，切替え局１１０に配置されたプロセッサ３０２は供されたチヤネル（又はトラフイックチヤネル）２１４とランダムアクセスチヤネル２０８との間で切り換える制御を提供する。典型的には，切替え局１１０は各々基地局ユニット１０８Ａ−１０８Ｎからの通信情報３０６Ａ−３０６Ｎを収集する。それから，通信情報３０６Ａ−３９６Ｎに含まれる該帯域幅は，後に詳細に説明される方法により，供されたチャネル２１４とランダムアクセスチヤネル２０８との間での切替えが基地局ユニット１０８Ａ−１０８Ｎと関連する各移動局のために好ましい時を，決定するためにプロセッサ３０２により利用される。替わって，プロセッサ３０２は，全ての移動局は供されたチヤネル２１４からランダムアクセスチヤネル２０８に及びその逆に同時に切り換えることを，決定することができる。
　本発明のシステムにおいて，帯域幅要求に関する最初の閾値レベルは，ランダムクセスチヤネル２０８上でセルサイト１０８と通信している利用者２０２をランダムアクセスチヤネル２０８からトラフイックチヤネル２１４に切替える時をプロセッサ３０２が決定するために，設定される。図に示したように，プロセッサ３０２は．切替え局１１０に配置され得る。替わって，プロセッサ３０２は各個々のセルサイト（図には示していない）に配置されている。いずれかの実施において，プロセッサ３０２は，好ましくはページングチヤネル３０４上で，利用者２０２に送られる切替え信号−ランダムアクセスチヤネル２０８と供された　（又はトラフイック）チヤネル２１４との間で利用者２０２に切り替えさせるための信号−を生起する。上記で留意したように，この最初の閾値レベルは，利用者２０２の帯域幅要求に基いている。利用者２０２の帯域幅要求が最初の閾値レベルを越える時は，プロセッサ３０２はランダムアクセスチャネル２０８からトラフイックチヤネル２１４に利用者２０２を切替える。
　反対に，第二の閾値レベルが，プロセッサ３０２が，トラフイックチヤネル２１４上でセルサイト１０８と通信している利用者をトラフイックチヤネル２１４からランダムアクセスチヤネル２０８へ切り換える時を決定するために設定される。この第二の閾値レベルはまた利用者２０２の帯域幅要求に基いている。そして利用者２０２の帯域幅要求が第二の閾値レベル以下に落ちた時はプロセッサ３０２は利用者２０２をトラフイックチヤネル２１４からランダムアクセスチヤネル２０８に切替える。前に述べたように，プロセッサ３０２は，供された（又はトラフイック）チヤネルとランダムアクセスチヤネル２０８との間で利用者に切替えさせるための切替え信号を，好ましくはページングチヤネル上で利用者２０２に送るために生起する。各閾値レベルは独立して調整され得る。
　ここに述べるように，逆方向リンク１３０上で，ランダムアクセスチヤネルはＴＩＡ／ＩＳ−９５ページングチヤネルと関連される。該ページングチヤネルはページングチヤネル当たり一つ以上のデータパケットチヤネルを伴う。逆方向リンク１３０上で他の遠隔のユニットによる送信を伴う遠隔のユニット１０２からのデータパケット送信を多重化するために，利用者特定ロングコードが利用される。
ＩＩ．ランダムアクセスチヤネルの設計
　図４−１１を参照し，特にＣＤＭＡ環境と，基地局と通信する移動局を持つセルラシステムを参照しつつ，本発明のランダムアクセスチヤネルのチヤネル設計を説明する。しかし，ここに説明されるランダムアクセスチヤネル設計の多くは，ＣＤＭＡに限らず，むしろＴＤＭＡを含む他のデイジタル通信システムに適用可能である。さらに，ここに詳述するランダムアクセスチヤネル設計はセルラ応用に又は自動局に限定されないことを理解するべきである。最初に，ランダムアクセスチヤネルチヤネル設計を説明する。逆方向リンクのチヤネル設計はそれから説明する。
Ａ．順方向リンクチヤネル
　パケットデータのための順方向リンクランダムアクセスチヤネルは結合されたセルラページングのサブチヤネルとＣＤＭＡ順方向リンク上のパケットデータチヤネルと考えることができる。セルラページングチヤネルの例はＴＩＡ／ＩＳ−９５中で定義されているＣＤＭＡページングチヤネルである。ＣＤＭＡページングチヤネルは全情報−移動体を定め，トラフイックチヤネルを割り当て，そしてシステム制御目的のための他の信号送信の情報−をブロードキヤステトするシステムとしてそのような目的のために，セルサイト１０８から移動局１０４への通信のために使用される。
　順方向リンクＣＤＭＡチヤネルのサブチヤネルを定義するための方法は種々存在する。あるセルラシステムは，連続する又はバースト状ページングチヤネルデータ流における論理的なサブチヤネルとしデタサブチヤネルを予備定義する。ＣＤＭＡページングチヤネル（ＴＩＡ／ＥＩＡ／ＩＳ−９５）がパケットを伝える特定のメッセージタイプを定義することによりサブチヤネルを支援することができる。この方法は，ページングチヤネル割り当てと他の通話制御のためのＩＳ−９５ページングチヤネル処理への変化なしに使用されることができる。しかし，この方法は，ランダムアクセスチヤネルにとって害された遂行を提供することが考えられる。なぜならば，パケットサブチヤネルはページングチヤネルデータ帯域幅のために他のページングメッセージと競わねばならないから。他のメッセージが長めの場合，ランダムアクセスチヤネルメッセージは遅延するであろう。この遅延は移動局１０２，１０４への通話中／通話可のチヤネル状態をフイードバックする好時機を減じ，これにより，利用者間でシエアリングしているチヤネルの効率を減じるであろう。この害を減じるために，代替の実施が本発明において利用される。
　好ましくは，ＣＤＭＡランダムアクセスチヤネルは，通常のセルラページングチヤネルの機能がランダムアクセスチヤネルデータと干渉しないような方法でＩＳ−９５ページングチヤネルフオーマットとは異なるフオーマットを使用して，ページングとパケットデータチヤネルの新しいセットのサブチヤネルとして定義される。新しいランダムアクセスチヤネルはここでパケット／ページングチヤネルとして参照される。パケット／ページングチヤネルの物理層と，それからその構造に最初に参照して，本発明のパケット／ページングチヤネルは今説明される。
１．物理層
　パケット／ページングチヤネルの変調特性は，ＴＩＡ／ＥＩＡ／ＩＳ−９５の§７．１．３に定義されるように，次の３の例外を除いて，ＣＤＭＡページングチヤネルのそれと同じである。第一に，連続して，ウオルシユコード３３から３９をもって開始するウオルシユコードを使用する，順方向ＣＤＭＡチヤネル上での０から７のパケット／ページングチヤネルがあり得る。パケット／ページングチヤネルの数は，ＴＩＡ／ＥＩＡ／ＩＳ−９５のＰＡＧＥ−ＣＨＡＮフイールド中で”システムパラメータメッセージ“を放送する時に，ページングチヤネルの数に一致する。ウオルシュコード３３−３９は選択される。なぜならば，それらは単純な変形，すなわち６４ビット連続コードの最後の３２ビットの倒置，を通したＣＤＭＡページングチヤネルウオルシユコードに関係しているから。ページングチヤネルとパケット／ページングチヤネルとのこの対は，集められたチヤネルがより高いレートのサービスのために使用される場合は有利である。しかし，いかなる他のページングも，本発明の本質を実質的に変えることなく，利用されることができる。
　第二に，パケット／ページングチヤネルはパワー制御サブチヤネルを持つ。かのパワー制御サブチヤネルは，ＴＩＡ／ＥＩＡ／ＩＳ−９５の§７．１．３．１．７に説明されるように，ＣＤＭＡ順方向トラフイックチヤネルのそれに一致する。害パワー制御サブチヤネルは，逆方向パケットチヤネルデータが受信される時にのみアクテイブである。
　第三に，図４を参照して，パケット／ページングチヤネルはパケット／ページングチヤネル　ロングコード　マスク４００を使用してスクランブルされる（ｓｃｒａｍｂｌｅ）。好ましくは，該マスクは図４中で示されるマスクのパラメータに続く。このように，図に示したように，ロングコードマスク４００は４２ビット（ビット０から４１）を含む。ロングコードマスク４００の第一の部分４０２は９ビット長（すなわちビット０−８）であり，順方向リンクＣＤＭＡチヤネルのためのパイロット疑似ノイズ（パイロット−ＰＮ）シーケンス　オフセット　インデックスを構成する。該パイロット−ＰＮシーケンス　オフセット　インデックスはＴＩＡ／ＥＩＡ／ＩＳ−９５§７．１．３．２．１中での定義のようなものである。ロングコードマスク４００の第二の部分４０４は１２ビット長（ビット９−２０）であり，各ビットはゼロである。ロングコードマスク４００の第三の部分はパケット／ページングチヤネル番号であり，それは３ビット長（ビット２１−２３）であり，特定パケット／ページングチヤネルの数を特定している。その各々には独特の番号が割り当てられる。パケット／ページングチヤネル番号は，パケット／ページングチヤネルに割り当てられたウオルシユコード３３−３９に応じて，順に１から７までの範囲にある。第四の部分４０８は５ビット長（ビット２４−２８）であり，各ビットはゼロである。最後に，ロングコードマスク４００の第五の部分４１０は１４ビット長（ビット２９−４１）である。第五の部分４１０の１４ビットは，同じロングコードがいずれの他のタイプのＣＤＭＡチヤネルのためには使用されないことを保障するように選択される。
　それらは通常のページングとアクセスチヤネルとは異なるように任意に選択される。そして，該特定の値は本発明に影響することのないように変化することができる。
２．構造
　パケット／ページングチヤネルの順方向リンクの構造を図５Ａと図５Ｂを参照して説明する。順方向リンクパケット／ページングチヤネル　スロット５０２，フレーム５０４，そして１／２フレーム５０６の構造はＩＳ−９５ページングチヤネルに類似である。パケット／ページングチヤネルは８０ミリ秒（”ＭＳ“）スロットに分割される。該スロット５０２は最大スロットサイクルとして参照される２０４８スロット（１６３．８４秒）のサイクルの中にグループ化される。各最大のスロットサイクルは，８０ｍｓのユニット中でシステム時刻，モジュロ２０４８がゼロである時，フレーム５０８の開始点で始まる。各最大のスロットサイクルのスロットは，図５Ａと図５Ｂに示すように０から２０４７まで番号付けされる。スロットされたモード中で動作する移動局は，最大スロットサイクル長（ＴＩＡ／ＥＩＡ／ＩＳ−９５§６．６．２．１．１．３）のサブマルチプル（ｓｕｂｍｕｌｔｉｐｌｅ）である長さを持つスロットサイクルを使用するページングチヤネルをモニターする。
　各８０ｍｓスロット５０２は４つのパケット／ページングチヤネルフレーム５１０を具備し，該４つのフレームの各々は２０ｍｓの長さである。各２０ｍｓ長のパケット／ページングチヤネルフレーム５０４は，１０ｍｓ長パケット／ページングチヤネル１／２フレーム５０６に分割される。互い違いになる１／２フレームはページングサブチヤネルとパケットサブチヤネルデータを含む。各パケット／ページングチヤネルフレーム５０４における１／２フレームはページングサブチヤネル１／２フレーム５１２であり，各パケット／ページングチヤネルフレーム５０４中の第二の１／２フレームはパケットサブチヤネル１／２フレーム５１４である。フレーム５０４の長さ，１／２フレーム５０６のタイミングシーケンス，そしてフレーム５０４の同じサイズの二つの１／２フレームへの分割は該発明には重要ではない。このように，フレーム５０４は，指定されたものとは異なる長さを有することができ，タイミングシーケンスは異ならせることができ，１／２フレームは等しくゼロとする必要はない。
　図５Ａと図５Ｂはまたページングサブチヤネル１／２フレーム５１２の構造を示している。それらの１／２フレーム５１２の構造はＴＩＡ／ＥＩＡ／ＩＳ０９５中で記述されたそれと同一に近い。連続する互い違いの１／２フレームは，ＴＩＡ／ＥＩＡ／ＩＳ−９５中のように隣接する１／２フレームよりも，ページングサブチヤネルデータ流を形成するために連結される如くに図５Ａと図５Ｂに示されている。しかし，ページングサブチヤネルの構造は該発明にとり重要ではなく，いずれか他のページングサブチヤネル構造が利用できることから．ページングサブチヤネル構造が参照のためのみに示されている。本発明の好適な実施形態におけるページングサブチヤネルのメッセージとプロトコルはＴＩＡ／ＥＩＡ／ＩＳ−９５に定義されているように，ＣＤＭＡページングチヤネルのそれらに同一である。
　図６Ａとず６Ｂはパケットサブチヤネルを含む１／２フレーム６０２の構造を示している。パケットサブチヤネルは連続ビット流であり，その中でパケットサブチヤネルメッセージカプセルはフレーム又は１／２フレーム境界に関係なく開始し終了する。パケット　サブチヤンネル　メッセージ　カプセル６０４は一つのパケット　サブチヤネル　メッセージ　プラス　フレーミング（Ｐａｃｋｅｔ　Ｓｕｂｃｈａｎｎｅｌ　ｍｅｓｓａｇｅ　ｐｌｕｓ　ｆｒａｍｉｎｇ）と，参照記号６０６により示されるような周期的冗長性チエック（ＣＲＣ，Ｃｙｃｉｃ　Ｒｅｄｕｄａｎｃｙ　Ｃｈｅｃｋ），誤り検出コードとを備えている。ＣＲＣはＴＩＡ／ＥＩＡ／ＩＳ−９５§７．７．２．２．２に説明されており，それはページング　チヤネルのための３０ビットＣＲＣを定義している。パケットサブチヤネルは同様に設計されることができる。
　パケットサブチヤネル１／２フレーム６０２の構造は図７Ａ−７Ｃに示されている。図７Ａにおいて，各パケットサブチヤネル１／２フレーム６０２は通話中／通話可のビット７０２と１／２フレームボデイ（ｂｏｄｙ）７０４を含んでいる。図７Ｂを参照して，もしも通話中／通話可のビット７０２がゼロに設定されると，１／２フレームボデイはパケットサブチヤネルメッセージデータ７０６のみを含む。通話中／通話可のビット７０２がゼロに設定されると，チヤネルは未使用であり，このように通信のためにはオープンである。そして，図７Ｂに示すように，パケットサブチヤネルメッセージデータは９５ビット長である。該９５ビット長は，しかし，単に例示である。；他のパケットサブチヤネルメッセージデータ長を選択することもできる。一方，図７Ｃに示すように，もしも通話中／通話可のビット７０２が１に設定されると，チャネルは通話中を意味し，１／２フレーム　ボデイ７０４は現在の利用者識別子（利用者ＩＤ）７０８（１５ビット長）とパケット　サブチヤネル　メッセージ　データ７１０（８０ビット長として示されている）を含む。再び，それらのビット長はただ例示である。
　利用者ＩＤｓはパケット／ページングチヤネルにローカル（ｌｏｃａｌ）である。すなわち，同じ利用者ＩＤは異なるパケット／ページングチヤネル上で異なる移動局のために使用され得る。単一のパケット／ページングチヤネルはそのウオルシュコードにより特定され，順方向ＣＤＭＡチヤネル（図４にしめすようにパイロット＿ＰＮ）のＰＮシーケンスオフセットである。
　パケット　サブチヤネル　メッセージ　６０６は図８に示すような構造を持っている。メッセージの開始においてはフラグオクテット（ｏｃｔｅｔ）８０２であり，それは””高レベルデータリンク制御“（ＨＤＬＣ）において使用される標準”０１１１１１１０“フラグで有り得る。これは，標準化（”ＩＳＯ“）のための国際組織，ＩＳＯ−４３３５，１９８４，”データ通信−高レベルデータリンク制御手順−手順要素の統合“に定義されている。ゼロ挿入と削除のための標準ＨＤＬＣ規則は，フラグ間のデータがフラグとして解釈されることを阻止するために使用される。フイールド８０４は３０ビット　フレーム　チェック　シーケンス（ＦＣＳ）であり，これはＴＩＡ／ＥＩＡ／ＩＳ−９５§７．７．２．２．２の中で定義されたＣＲＣである。他のフレーミングとフレームチエック方法は本発明に従って使用されることができる。メッセージ　テキスト　フイールド８０６は送信されたデータパケットを保持し，最大長２０４８オクテットを有する。該メッセージはまたメッセージタイプ８０８，８ビットメッセージ識別子を含む。最後に，上述したようにフラグオクテット８０２と同様に，メッセージの終端では第二フラグオクテット８１０である。当該分野の当業者は，このメッセージ構造はただ例示であることを認識するであろう。
３．シグナリング（ｓｉｇｎａｌｉｎｇ）
　パケット／ページングチヤネルを支援するために，次の二つのページングチヤネルメッセージタイプが使用される：パケット／ページングチヤネル割り当てとパケット／ページングチヤネルオーバヘッド。それらのメッセージは，ＴＩＡ／ＥＩＡ／ＩＳ−９５に定義されたそれらと本発明のパケット／ページングチヤネルのページングサブチヤネルとを含んでいる，ＣＤＭＡページングチヤネル上でのみ送られることができる。
　パケット／ページングチヤネル割り当てメッセージは基地局により移動局を割り当てるために，又は割り当て解除のために，パケット／ページングチヤネルに送られる。実施にはまた特別のパケット／ページングチヤネルに移動局を割り当てる能力を含めることがでる。パケット／ページングチヤネル割り当てメッセージはある移動局の識別子（ＭＳＩＤ）を含み，それは移動識別子番号（ＭＩＮ），電子連続番号（ＥＳＮ）又はＩＳ−９５中で定義されたフオーマット中の他の識別子であることができる。割り当てメッセージはまたＡＳＳＩＧＮ＿タイプフイールドを含み，それはどのチヤネルのタイプ，どのページングチヤネル又はどのパケット／ページングチヤネル，どの基地局が移動局を割り当てているかを示す。例えば，ＡＳＳＩＧＮ＿タイプ＝０であれば，それから該移動局はページング　チヤネルに割り当てられおり，ＡＳＳＩＧＮ＿タイプ＝１であれば，移動局はパケット／ページングチヤネルに割り当てられている。最後に，パケット／ページング　チヤネル割り当てメッサセージはＣＨＡＮＮＥＬフイールドを含み，それは基地局により割り当てられた任意のＣＤＭＡ周波数チヤネル番号を含む。
　パケット／ページングチヤネルオーバヘッドメッセージは基地局によりパケット／ページングチヤネルに関連したグローバルなパラメータを制御するために送られる。パケット／ページングチヤネルオーバヘッドメッセージはＭＡＸ＿ＬＥＮパラメータを含み，それは逆方向パケットチヤネル送信バースト中で許されるオクテットの数を表示する。該バーストは一つ以上の逆方向パケットチヤネル　メッセージにより構成されるが，全バースト長はＭＡＸ＿ＬＥＮパラメータの値を越えてはならない。ＭＡＸ＿ＬＥＮのためのデフオルト値は２０４７オクテットである。パケット／ページング　チヤネルオーバヘッドメッセージはまたＬＯＣＡＴＩＯＮ＿ＣＴＲＬフイールドを含み，それは移動ユニットの位置に関する情報を提供する。例えば，ＬＯＣＡＴＩＯＮ＿ＣＴＲＬ＝０であれば，基地局は移動局を位置付けるためにＩＳ−９５登録方法に依存する。ＬＯＣＡＴＩＯＮ＿ＣＴＲＬ＝１であれば，移動局は非常なアイドルハンドオフ（ｉｄｌｅ　ｈａｎｄｏｆｆ）の後でパケット／ページングチヤネル要求メッセージを送信する。移動局の位置を識別する方法は下記に詳細に説明される。
　下記の二つのパケットサブチヤネルメッセージタイプがこの発明においてパケット／ページングチヤネルを支援するために使用される：利用者ＩＤ割り当てメッセージとパケット配送メッセージ。利用者ＩＤ割り当てメッセージはパケットサブチヤネルメッセージのメッセージテキストフイールド中の二つのタイプの情報により構成される。第一は，利用者ＩＤフイールドであり，それは移動局又は放送メッセージを特定する１５ビットの数である。利用者ＩＤｓ０−１５は下記の手順において定義されるように，特定の利用者のために予約される。基地局は個々の移動局に他の利用者ＩＤｓを割り当て，それらを逆方向パケットチヤネル上で送信できるようする。第二のタイプの情報は移動局識別子（ＭＳＩＤ）であり，それはＩＳ−９５中で定義されたフオーマット中で，ＭＩＮ，ＥＳＮ又は他の識別子を構成する。
　パケット配送（ｄｅｌｉｖｅｒｙ）メッセージはパケットサブチヤネルメッセージのメッセージテキストフイールド中の３タイプの情報により構成される。第一は，利用者ＩＤを表示する値”０“とＭＳＩＤを表示する値”１“とを伴うＩＤ＿タイプである。第二のタイプの情報は，識別子であり，それは，ＩＤタイプの値に従って，利用者ＩＤ又はＭＳＩＤのいずれかであることができる。ＵＩＤとＭＳＩＤとは利用者ＩＤ割り当てメッセージのために定義されたようなものである。第三のタイプの情報は送信されたパケットデータ（ＤＡＴＡフイールド）である。ＤＡＴＡのフオーマットと内容は本発明には重要ではない。好ましい実施の形態において，しかし，このフイールドの内容は，インターネットＲＦＣ１６６１で定義されるようにインタネット　ポイント　トウ　ポイント　プロトコル（ＰＰＰ，ｔｈｅ　Ｉｎｔｅｒｎｅｔ　Ｐｏｉｎｔ−ｔｏ−Ｐｏｉｎｔ　Ｐｒｏｔｏｃｏｌ）に従っている。
Ｂ．逆方向リンク　チヤネル
　ランダムアクセスチヤネルの逆方向リンクチヤネルはいま説明される。便宜的に，ここでは逆方向パケットチヤネルとして参照される。逆方向パケットチヤネルの物理層，同期，構造及びシグナリングが説明される。
１．物理層
　本発明の逆方向パケットチヤネルは，つの例外があるが，ＴＩＡ／ＥＩＡ／ＩＳ−９５の§§６．１．２と６．１．３に定義されているＣＤＭＡアクセスチヤネルと同様である。最初に，ＣＤＭＡ逆方向トラフイックチヤネル（ＴＩＡ／ＥＩＡ／ＩＳ−９５の図６．１．３．１．８−２を参照）に関して，逆方向パケットチヤネルは移動局電子シリアル番号（ＥＳＮ）に基づく公衆ロングコードマスクを使用して，ロングコードＰＮによりアドレスされる。そのようなアドレッシングは個々の移動局からの送信の特定と信号レベルの測定を可能とする。このように，またマルチパス　ダイバーシチイ受け入れを使用する能力と，逆方向パケット　チヤネル上でのクローズドループ逆方向リンクパワー制御を使用すること能力を供する。
　第二に，一つの逆方向パケットチヤネルは割りあてられた利用者ＩＤ毎にある。第三に，逆方向リンク送信パワーは，ＴＩＡ／ＥＩＡ／ＩＳ−９５の§§６．１．２．３と６．１．２．４に定義されているオープン及びクローズドループ手順を使用して，ＣＤＭＡ逆方向トラフイックチヤネルに関して決定される。第四に，逆方向パケットチヤネルの同期と構造は以下の記述中で説明され，ＴＩＡ／ＥＩＡ／ＩＳ−９５の対応するセクション§§６．６．３．１．１と６．７．１．１は適用しない。
２．同期
　逆方向パケットチヤネル送信のタイミングを，図９を参照して説明する。図９は，上記で詳述された順方向リンクパケット／ページングチヤネル９０４に関して，逆方向パケット　チヤネル９０２のタイミングを示している。図に示すように，逆方向パケットチヤネル９０２は前文９０６とパケットデータメッセージフイールド９０８を持っている。パケット／ページングチヤネル９０４はページングサブチヤネル１／２フレーム（それは周期的に反復する）とパケットサブチヤネル１／２フレーム９１２（それもまた周期的に反復する）とを有する。パケット／ページングチヤネル９０４のフレーム９１４はページングサブチヤネル１／２フレームとパケットサブチヤネル１／２フレーム９１２を備えている。パケット／ページングチヤネル９０４の各パケットサブチヤネル１／２フレーム９１２の開始において，通話中−不使用のビット９１６がある。それは移動局に対して，パケット／ページングチヤネル９０４をモニターして，通信が可能か通話中かを表示する。
　逆方向パケットチヤネル９０２の前文９０６はＣＤＭＡアクセスチヤネルと同じである。前文９０６の長さはＣＤＭＡアクセスチヤネルバーストのそれと同じであり，それはＴＩＡ／ＥＩＡ／ＩＳ−９５の§７．７．２．３．２．２に定義されるように，アクセスパラメータメッセージのＰＡＭ＿ＳＩＺフイールドの中での放送である。図９において，逆リバースパケットチヤネルの前文９０６はＣＤＭＡフレームの同じ長さに示されている。
　移動局は，利用者ＩＤ割り当て無しに逆方向パケットチヤネル９０２上で送信することはできない。利用者ＩＤ割り当てを持つ移動局は通話中／不使用のビット”０“（参照記号９１６を参照）に続くフレーム９１４の最後の後に逆方向パケットチヤネルの前文９０６を送る始めることができる。第一の前文フレーム９０６はフレーム境界９１８をもって正確に位置きめされるが，先行するパケット／ページングチヤネルレーム９２０が復号され，インターリーブを解除され，決定されるまでは，移動局送信器は稼働しない。
　もしも通話中／不使用のビット９２２が”１“であれば，移動局はその次のための実質的なパケット／ページングチヤネルフレームが送信を試みるまでは，送信することができず，前文フレーム９０６を廃棄し，待機する。指数関数的なバックオフ（ｂａｃｋｏｆｆ）のような，ランダム化する技術は，多重移動局からの同時的送信（競合）の可能性を最小化する次の試みのためのフレームを選択する方法として，当該分野の当業者には良く知られている。
　もしも通話中／不使用のビット９２２が”０“であれば，図９に示すように，移動局は送信でき，アクセスパラメータメッセージのＰＡＭ＿ＳＩＺフイールドの中で表示されたフレーム番号のために前文９０６を送り続ける。前文の終わりにおいて，移動局はパケットデータメッセージフイールド９０８の中で逆方向パケットチヤネルデータをそえ送信し始める。
　基地局がパケットチヤネル上で割り当てられた利用者ＩＤを持つ移動局からの前文送信を探知すると，通話中／不使用のビットを”１“に設定し（参照記号９２４を参照），パケットチヤネル１／２フレームのＵＩＤフイールド９２６中で受信されている移動局からの利用者ＩＤを位置付ける。
　送信している移動局は通話中／不使用のビット９２４と，逆方向パケットチヤネル前文９０６の終端に続く各パケットサブチヤネル１／２フレーム９１２中のＵＩＤフイールド９２６を，監視する。移動局は，続く二つの誤り表示のいずれかが逆方向パケットチヤネル９０２データ送信の終端の前で生起するならば，パケットデータ９０８を送信することができず，再送信を計画する。第一の誤り表示は通話中／不使用のビット９２４が”０“に設定される時に生起する。第二の誤りは通話中／不使用のビット９２４が”１“に設定され，ＵＩＤフイールド９２６が移動局に割り当てられたＵ利用者ＩＤを含まない時に，生起する。Ｕ利用者ＩＤが”０“というこの第二の誤り表示は基地局により利用され，全ての移動体は送信を停止するためにパケット／ページングチヤネル９０４を監視する。　　基地局は移動局のパケットデータ送信の終端に続く二つのフレームに通話中／不使用のフラッグを，”１“に設定し維持する。これらのフレーム中の利用者ＩＤは，もしも送信期間中に誤りが検知され無い場合は，移動局の利用者ＩＤであり，もしも誤りがあれば”０“である。基地局は次のいずれかの後に終わる送信を考える：（１）基地局が，逆方向のパケットデータ送信の長さフイールド（図１０を参照）から決定されるように，送信のデータ部分の終端を受信した時。又は（２）受信誤りが探知される最初のフレームの終端であるとき，又は（３）移動局が送信を中止するよう命令された最初のフレームの終端であるとき。送信している移動局はまた送信の終端に続く二つのフレームのために通話中／不使用のフラッグを環視する。二つの誤り表示のいずれか（上記を参照）が生起する場合は，移動局は受信は成功せずと推測し，送信を再度計画する。
３．構造
　逆方向のパケットチヤネル送信１０００の構造は図１０に示されている。図１０に示すように．逆方向パケットチヤネル送信１０００は前文１００２，長さフイールド１００４，メッセージフイールド１００６，そして詰め込み（パッデイング，ｐａｄｄｉｎｇ）フイールド１００８を盛っている。前文１００２は上記したように逆方向パケットチヤネルの同期に関する。長さフイールド１００４はこの送信中に移動局により送信されるであろうＣＤＭＡフレームの数を含んでいる。送信のメッセージパート１００６は下記に示すフオーマットを有する一つ以上の逆方向パケットチヤネルメッセージを含んでいる。パッデイングフイールド１００８は全て０により構成され，送信期間を整数のＣＤＭＡフレームとするためにメッセージフイールド１００６の終端で付加される。パッテイングフイールド１００８のサイズはゼロを挿入した後のメッセージフイールド１００６のサイズにより決定される。
　図１１を参照して，逆方向のパケットチヤネル送信１０００のメッセージフィールド１００６は一つ以上の構造例を含んでおり，それは順方向パケットサブチヤネルの場合と同じである。図１１に示したように，メッセージフイールド１００６のメッセージ構造は次の５つのフイルドを盛っている：最初のフラグフイールド１１０２，メッセージタイプフイールド１１０４，メッセージテキストフイールド１１０６，フレームチエックシーケンス（ＦＣＳ）フイールド１１０８，そして第二のフラグフイールド１１１０。示すように，第一と第二のフラグフイールド１１０２，１１１０は各々８ビットフイールドである。第一のフラグフイールド１１０２は，しかし，逆方向パケットチヤネル送信における最初のメッセージノために省略されることができる。一つのフラグフイールドのみが送信中の連続するメッセージの間で要求される。該メッセージタイプフイールド１１０４は８ビットフイールドであり，ＦＣＳフイールド１１０８は１６ビットである。最後に，メッセージテキストフイールド１１０６はより短いこともあるが，多くても２０４８オクテット長である。
４．シグナリング
　本発明のランダムアクセスチヤネルを支援するために，移動局はアクセスチャネル上で基地局に信号を送る。パケット／ページングチヤネル要求と利用者ＩＤ要求を含めて，種々のアクセスチヤネルメッセージタイプがランダムアクセスチヤネルを支援するために使用される。それらのメッセージは移動局により選択されたアクセスチヤネル上で送られる。それらのメッセージのいずれも，ＩＳ−９５に定義されるような”絶対の（ｉｍｐｌｉｃｉｔ）登録“とは考えられない。逆方向パケットチヤネルは，ここに説明するように，パケット提出メッセージタイプを使用する。
　さらに，初めのメッセージのような，アクセスチヤネルメッセージがＣＤＭＡアクセスチヤネル上と同様に逆方向パケットチヤネル上で送られることができる。これは，通話制御メッセージのより効率的な送信のために，特に初めのメッセージのために，逆方向パケットチヤネルの使用を可能とする。その長さは，全てのダイアルされたデイジットの送信を完成するために初めの連続メッセージを要求して，アクセスチヤネル上で制限されることができる。
ＩＩＩ．動作手順
Ａ．パケット／ページング及びアクセスチヤネル選択
　パケット／ページングチヤネル選択において，移動局と基地局は，ＴＩＡ／ＥＩＡ／ＩＳ−９５§６．６．２．２．１．２のページングチヤネルの選択と同じ方法でパケット／ページングチヤネルを選択する。選択されたパケット／ページングチヤネルのためのウオルシュコードは，ページングチヤネル　ウオルシュコード　プラス３２である。
　アクセスチヤネル選択において，パケット／ページングチヤネルをモニターする際に，アクセスを試みる移動局は，対応するページングチヤネルをモニターする際にアクセスのために使用するであろうと同じアクセスチヤネルを使用する。アクセスチヤネル選択は，ＴＩＡ／ＥＩＡ／ＩＳ−９５§６．５．３．１．１．２に説明されている。
　図１２Ａはパケット／ページングチヤネル選択を示している。移動局がパケット／ページングチヤネル（ステップ１２０２）を得るプロセスを開始した後で，移動局のＩＳ−９５制御プロッサは，移動局がＩＳ−９５ページングチヤネルに接続されることを表示する結合表示信号（ステップ１２０４）を形成する。これは該移動局によりそれからモニターされる。該移動局はそれから基地局にアクセスチヤネル（ステップ１２０６）上でパケット／ページングチヤネル要求メッセージを送り，割り当て待機状態１２０８に入る。この状態において，移動局はパケット／ページングチヤネルへの基地局による割り当てを用意する。もしも移動局がパケット／ページングチヤネル要求メッセージへのいかなる回答も受信しない場合，移動局の制御部分は時間切れメッセージ（ステップ１２１６）を形成し，それは移動局を割り当て待機状態１２０８に置き，他のパケット／ページングチヤネル要求メッセージ（ステップ１２０６）を送る。移動局はそれから割り当て待機状態１２０８に再び入る。しかし，もしも基地局が移動局のパケット／ページングチヤネル要求メッセージに答え，ページングチヤネル上でパケット／ページングチヤネル割り当てを送るならば，移動局は利用者ＩＤをゼロに設定することにより以前のいずれの探索器登録をも削除し，待機リストフラッグを誤りに設定する（ステップ１２１２）。それは，自由な探索器を待つ基地局の待機リスト上に移動局がいないことを表示する。移動局はそれから不使用状態１２１４に入り，割り当てられたパケット／ページングチヤネルをモニターする。
Ｂ．スロットされた（ｓｌｏｔｔｅｄ）ページングモード
　本発明のパケット／ページングチヤネルを使用する時，利用者ＩＤ割当を持たない移動局はスロットされたページングモードの中で動作し得る。これはＴＩＡ／ＥＩＡ／ＩＳ−９５§６．６．２．１．１．の要求に従ってなされる。スロッテイングページングモードは，いずれのパケットデータも移動局から送信されずまたは受信されない期間にバッテリを節約する。
Ｃ．探索器の管理
　逆パケットチヤネル上でパケット通信を獲得することは，探索器と呼ばれる機能要素により実行される。該探索器は基地局に配置され，図１と図２をさん参照して上記に記述されている。探索器要素は，受信信号と移動送信機の既知のＰＮ拡散シーケンス（又はロングコード）間の相関を審査することにより逆方向チヤネル信号の存在を探索して，基地局からの受信信号を継続してスキャンする相関器である。この目的のために相関器を稼働するための方法は当該分野の当業者にはよく知られている。探索器は特定の移動局に対応するロングコードを求めるが，それは，探索器にまた知られている前文データと同様に，探索器に知られている。　探索器の仕事は，送信機からの放出される信号と受信器アンテナに到達する信号間の遅延における不明確性により複雑にされる。この不明確性はタイミング動機エラーと送信機から受信機への距離における可変性の結果である。それらのフアクタは移動通信システムに固有のものであり，大きく増加するシステムコストと複雑さ無しには，除かれことができない。この不明確性の結果として，送信信号を探す時は，探索器は多数の可能なタイミングオフセットを試みなければならない。別個のオフセットで試みられる各相関は，信号サンプルを収集し，積分することを要求することから，処理のために必要な探索器のハードウエアおよび又はソフトウエアはさらに一層複雑にされる。さらに，相関を実行するための時刻は，ひとつの探索器は一般にある時刻で一つ以上のＰＮ拡散シーケンス探すことはできない。従って，もしも，別個のＰＮシーケンスを各々が持っている多くの可能な送信機があれば，一般に多くの探索機が必要である。
　ＩＳ−９５アクセスチヤネル上で，多くの探索器の必要性は，同じＰＮ拡散シーケンス（すなわち，ロングコード）を使用する供されたアクセスチヤネル上で全ての移動局を持つことにより軽減される。これは要求される探索器の数を減少するが，同時に送信する異なる移動局からの送信を解決する（ｒｅｓｏｌｖｅ）ことを不可能にする。（ＣＤＭＡシステムにおいて，もしも異なるＰＮシーケンスが使用されるならば，送信はＣＤＭＡに固有のプロセッシングゲイン使用して解決され得る。）同時に送信を行う異なる移動局からの送信を解決する能力がないことは，次の不利点を持っている：（１）異なる移動局からの送信は，同じ移動局からマルチパスで到達する信号から区別することができない。それゆえに，マルチパスエネルギを結合することができない。これは基地局の受信機の感度が相当に低下する結果となる。（２）移動局の同一性は，，該メッセージが完全に受信され復号されるまでは，確立されることができない。これはアクセスチヤネル送信のためのクローズドループパワー制御を使用することを妨げ，アクセスすることの試みの成功又は失敗について移動局に迅速にフイードバックすることを妨げる。それらの不利点は，フエードハマージンを供するためにさらに移動局送信パワーを要求することにより，及び誤りが受信機により探知される場合に移動局送信機を迅速に停止することを不可能にすることにより，逆リンクの効率を減少せしめる。
　ここに説明された逆方向パケットチヤネルは，逆方向送信のために移動局−特定シーケンス（すなわち，移動特定ロングコード）を使用することにより，それらの課題を除く。上記の説明から，アクセスチヤネルの不利点はこのアプローチにより緩和されることが明きらかであるが，逆方向パケットチヤネル上で送信できる各移動局のための探索機にコストを要求する。探索機ハードウエア及び／又はソフトウエアは一般に非制限的源（ａｎ　ｕｎｌｉｍｉｔｅｄ　ｒｅｓｏｕｒｃｅ）ではないが，供された逆方向パケットチヤネルを使用する全ての移動局間で制限された数の探索機をシエアするための手段を提供することが必要である。
　二つの既知の方法が探索機のシエアリングのために利用できる。最初の方法は投票する（ｐｏｌｌｉｎｇ）ことである。ここにおいて，基地局は順に各移動局にへの投票を送る。この方法は単一の探索機の場合は最も効率的である。しかし多くの探索機が利用できる場合は非効率的である。第二の方法は探索機予約である。これは現発明で使用される方法である。ここにおいて，移動局は，探索機割当を要求するためにアクセスチヤネルを使用し，探索機が予約されている時に逆方向パケットチヤネル上で送信のみする。
１．移動局探索機の管理
　探索機の管理用の移動局の手順を，図１２Ａ−１２Ｃを参照して説明する。探索機の管理用の手続に入る前に，移動局はまず基地局からパケット／ページングチヤネル割当を得る。これは１２Ａを参照して上記で説明された。図１２Ａに示すように，移動局不利用状態１２１４に入るため，又は不利用ハンドオフの後，移動局は最初にＩＡ−９５ページングチヤネル（ステップ１２０４）を監視する。移動局はアクセスチヤネル上でパケットチヤネル要求メッセージを送り（ステップ１２０６），割当待機状態１２０８に入る。もしも基地局が，設定された時間の内にパケット／ページングチヤネル割当メッセージに応答しないと，移動局の制御部分は時間切れ信号を形成し，基地局は応答しなかったことを表示し，該移動局に他のパケット要求メッセージを遅らせる（ステップ１２０６）。しかし，もしも基地局が応答して，移動局をパケット／ページングチヤネルに割り当てると（ステップ１２１０），移動局はいずかの前の探索機予約を削除し，利用者ＩＤをゼロに設定し，待機リストフラッグを誤りに設定し，不利用状態１２１４に入る。
　図１２Ｂを参照して，不利用状態１２１４にある時，移動局は，送信時を含めてそのようなチヤネルに割り当てられている間，パケット／ページングチヤネルを全時間にわたり監視する。結果として，不利用状態１２１４にある時，移動局は，移動局にその探索機予約と利用者ＩＤ割当とを削除せしめる，パケット／ページングチヤネルチヤネル上での基地局からの利用者ＩＤ割当メッセージを受信することができる。例えば，もしも移動局が，該移動局の割当てられている利用者ＩＤを含むが，該移動局のＭＳＩＤには合致していないＭＳＩＤを有する（イテップ１２５４），利用者ＩＤ割当メッセージを該基地局から受信する場合，該移動局は受信した利用者ＩＤを審査する（ステップ１２５６）。もしも受信した利用者ＩＤは現在割り当てられた利用者ＩＤに等しくない場合（ステップ１２５６の該”〈〉ＵＩＤ“ブランチ），移動局は単純に不利用状態１２１４に再び入る。。もしも受信した利用者ＩＤが現在割り当てられた利用者ＩＤと等しい場合（ステップ１２５６の該”＝＝ＵＩＤ“ブランチ），移動局は探索機予約を削除し，利用者ＩＤをゼロに等しいように設定する（ステップ１２５８）。それから，それは不利用状態１２１４に再び入る。同様に，もしも移動局が利用者割当メッセージを移動局のＭＳＩＤとゼロの利用者ＩＤとを含む基地局からの利用者ＩＤ割当メッセージを受信すると（ステップ１２６０），移動局はその利用者ＩＤを受信した利用者ＩＤに等しくなるよう設定し，その探索機予約を削除する（ステップ１２６２）。再び，それは不利用状態１２１４に再び入る。
　移動局は，不利用時の時に逆方向パケットチヤネル上で探索機を予約し，パケットデータを送るための引き続く手順を利用する。移動局が送るべきパケットデータを有するとき（ステップ１２１８），それは，それが探索機予約をもつかどうかを決定されねばならない。もしも利用者ＩＤが５以下であれば，ステップ１２２０に示すように，移動局は探索機予約を持たない。そしてそれは移動局が基地局待機リスト上にあるかどうかを決定しなければならない（ステップ１２２２）。もしもそれが待機リスト上にあれば（すなわち，待機リストフラッグ＝真実），移動局は利用者ＩＤ待機状態１２２６中配置される。もしも，一方，移動局が待機リスト上にない場合（すなわち，待機リストフラッグ＝誤り），移動局は利用者ＩＤ要求メッセージをアクセスチヤネル上で送り（ステップ１２２４），再び利用者待機状態１２２６に入る。
　図１２Ｃに示すように，一度利用者待機状態１２２６に入ると，該移動局は基地局からの利用者ＩＤの割当を待つ。移動局の該制御部分は，移動局が利用者ＩＤ割当を受信することなく利用者ＩＤ待機状態１２２６にいる時刻を監視し，もしもその時刻がある設定時間を超えると，該制御は時間切れ信号を形成する（ステップ１２２８）。移動局はそれから他の利用者ＩＤ要求メッセージを基地局にアクセスチヤネル上で送り（ステップ１２３０），移動局は利用者ＩＤ待機状態１２２６に帰還する。
　もしも，時間切れにならず，移動局が利用者ＩＤ割当メッセージを基地局からパケット／ページングチヤネル上で受信する場合（ステップ１２３２），該移動局は探索機予約を持ち，データパケットを送信することができる。該移動局はその利用者ＩＤを基地局から受信した利用者ＩＤをもって設定する。該移動局はそれから逆方向パケットチヤネル上でパケットデータを送る。該移動局はパケットデータ送信が成功するかどうか秘を監視する（ステップ１２３８）。もしも送信が成功すると（該”真実“ブランチ），移動局は待機リストフラッグを”真実　“に設定し，不利用状態１２１４に入る。もしも，一方，送信が成功しない場合（該”誤り“ブランチ），移動局は待機リストフラッグを”誤り“に設定し，利用者ＩＤをゼロに設定する（ステップ１２４２）。移動局はそれから他の利用者ＩＤ要求メッセージをアクセスチヤネル上で送り（ステップ１２４４），利用者ＩＤ待機状態１２２６に再び入る。
　図１２Ｂを再び参照して，もしも移動局が受信した利用者ＩＤが１５以上の場合（ステップ１２２０），移動局はすでに野容赦ＩＤを持っており，パケットデータを送ることができる。移動局はそのパケットデータを逆方向パケットチヤネル上で送る（ステップ１２４６）。それはそれから送信が成功したかどうかをチエックする（ステップ１２４８）。もしも成功し場合，待機リストフラッグは”真実“に設定され，移動局は不利用状態１２１４に再び入る。もしも不成功な場合，待機リストフラッグは”誤り“に設定され，利用者ＩＤはゼロに設定される（ステップ１２５２）。このように，図９を参照して，もしもパケット／ページングチヤネル９０４のパケツトサブチヤネル通話中／通話可フラッグ９１６が逆方向パケットチヤネル９０２上で前文９０６の送信に続いて通話中に設定されないと，移動局はさの探索機予約を削除する。移動局はそれからは上記で説明されたステップ１２２２−１２２６を実行する。
　もしも移動局が逆方向パケットチヤネル上で削除された探索機予約を予約後にパケットを成功裏に送信した場合，該移動局は基地局の待機リスト上に配置され，それが送るべきデータを持つ時は新しい予約を要求する必要はない。代わって，それが基地局の自動的な再割当を待つことができる。それは通常待機期間の終わりで生じる。もしも移動局がまさに削除された探索器予約をした後に逆方向パケットチヤネル上で成功裏にパケットを送信できなかった場合，該移動局は送るべきデータを持つ時、新しい予約を要求する。
２．基地局探査器の管理
　図１３Ａ−１３Ｅを参照して，基地局探査器の管理手順を説明する。図１３Ａを参照して，開示後（ステップ１３０２），基地局はアクセスチヤネル上を移動局により送られてくるパケットチヤネル要求を待つ。基地局がそのようなメッセージを受信すると，それはページングチヤネル上をパケットチヤネル割当メッセージを移動局に送る。基地局はそれから，不使用状態に入る（ステップ１３０８）・その中でそれは移動局からの利用者要求を待つ。推測上，移動局と基地局とは利用者ＩＤ要求を求めて待機するこのポイントにおいては不使用状態にある。アクセスチヤネル上で移動局からの利用者ＩＤ要求メッセージを受信すると，基地局は不使用探索器を探して，利用者ＩＤリストを審査する（ステップ１３１２）。　この時点で，基地局は探査器管理手順を開始する。探索器が不使用である時　（すなわち，ステップ１３１２で利用者ＩＤリストが”空でない“時）に，もしも基地局が利用者ＩＤ要求メッセージを移動局から受信するならば，該探索器は該移動局に割り当てられ，移動局のたの利用者ＩＤが選択され，基地局は利用者ＵＤをパケット／ページングチヤネル上の移動局へ送る（ステップ１３１４）。基地局は移動局の特定と，利用者ＩＤを割当る前にパケットデータサービスを使用する許可を変更できる。移動局に利用者ＩＤを送る時に，基地局管理手順はアクテイブ状態１３１６に入り，探索器はその利用者特定ロングコードで符号化された移動局からの送信を探索することを開始する。しかし，もしも基地局がいずれの探索器も不使用状態である時（すなわち，ステップ１３１２において利用者ＩＤストが”空“である時）に，移動局からの利用者要求メッセージを受信するならば，基地局は該移動局を待機リスト上に配置し（ステップ１３１８），待機リストフラッグを”誤り“に設定する。該基地局ははそれから待機状態１３２０に入り，移動局と基地局とは利用できる利用者ＩＤを待つ。
　図１３Ｂを今参照して，基地局は少なくとも二つの環境の下で待機状態１３２０にあることができる。第一は，探索器が利用可能になる時に，利用可能な利用者ＩＤの基地局を通知して，利用者ＩＤ通知信号は基地局グローバル探索器制御により形成される（ステップ１３２２）。基地局はそれから待機している移動局に利用可能な探索器を再度割当，パケット／ページングチヤネル上を待機している移動局に利用者ＩＤ割当メッセージを送る（ステップ１３２４）。該移動局はそれからアキテイブ状態１３１６に入る。
　第二に，待機している移動局は，基地局グローバル探索器制御により決定された待機時間を超過するとき，待機時間超過信号が該グローバル探索器制御手順により形成される（ステップ１３２６）。該基地局は，それからそれが空かどうかを決定するために，利用者ＩＤリストを審査する。もしも該利用者リストが空でない時は，基地局は待機している移動局に該探索器を再度割り当て，ステップ１３２４をじっ実行し，それからアクテイブ状態１３１６に入る。もしも利用者ＩＤリストが空であれば（ステップ１３２８），準備通知信号が該移動局がその待機時間を超過したことを表示して該グローバル探索器制御に送られる（ステップ１３３０）。該基地局はそれから準備状態１３３２に入る。それは移動局が利用者ＩＤを受信するためにより至急であることを表示する。利用者ＩＤが利用可能となる時は，利用可能な利用者ＩＤの基地局を通知して，該グローバル探索器制御はそれから利用者ＩＤ通知信号を形成する（ステップ１３３４）。基地局はそれからその使用法の割当を超過して割り当てられた利用者ＩＤを有する移動局から待機している移動局へ，その割り当てられた相対的優先に応じて，探索器を再度割り当てる。該基地局はパケット／ページングチヤネル上で利用者ＩＤ割当メッセージを待機している移動局へ送る（ステップ１３３６）。移動局はそれからアクテイブ状態１３１６に入る。
　基地局は以前に割り当てられた同じ利用者ＩＤを使用することができるか，新しい利用者ＩＤを使用することができる。もしも新しい利用者ＩＤが使用されると，該利用者ＩＤ割当を廃棄して，該基地局は個別の利用者ＩＤ割当メッセージを，その探索器が再度割り当てられている移動局に送らなければならない。しかし，もしも廃棄した移動局は，廃棄された利用者ＩＤ割当を受信以来，データパケットを成功裏に送信した場合，基地局は廃棄された移動局を待機リスト上に自動的に位置付ける。該基地局はは待機リスト優先に従って該廃棄された移動局を利用者ＩＤに遅れて再度割り当てる。
　待機のための，そして利用者ＩＤ割当移動局のための優先リストを管理するために種々の方法が使用されることができる。しかし好ましい実施の形態においては，次の手順が使用される。各移動局のために，基地局は，利用者ＩＤ割当がなされる優先順序を決定するところの４つの要素を維持する：（１）待機時間，これは移動局が待機リスト上に配置されて以来経過した時間である。（２）不使用時間，これは利用者ＩＤ割当を持つ移動局から最後に成功した送信以来の時間である。（３）割当時間，これは移動局が利用者ＩＤを割り当てられて以来の時間である。（４）移動局利用者へのサービスの同意されたグレイドに従った，移動申し込み優先レベル。待機時間の閾値はより高い優先レベルに応じてより短く，不使用時間の閾値はより高い優先レベルに応じ胃より長く，割当時間の閾値は，より高いレベルに応じてより長い。これらはすべて各同意された優先レベルに関連している。待機時間の閾値は固定され手いる。なせならばそれは移動局の待機時間の閾値と同意しなければならず，後者は基地局により制御できないから。不使用時間の閾値と割当時間の閾値は，一方，トラフイックロードに応じて基地局により変えられることができる。
　基地局はパケット／ページングチヤネルに割り当てられたそれらの移動局への利用者ＩＤの割当を制御する。もしも基地局が待機状態１３２０にあり，探索器が利用可能になれば，基地局は利用者ＩＤ割当メッセージを，より大きい量だけその待機時間の閾値を超えている移動局に送る（ステップ１３２２）。
　今図１３Ｃを参照して，もしも待機リスト上のいずれかの移動局がその待機時間の閾値を超えると，該基地局は次の手順に従ってアクテイブ移動局から探索器を再度割り当てる（ステップ１３１６を参照）：
　（１）もしもいずれのアクテイブ移動局（すなわち，該移動局は利用者ＩＤ割当をもっている）もその不使用時間の閾値を超えていない場合，またいずれの移動局もその割当時間の閾値を超えていない場合，基地局は，待機している移動局にアクテイブな移動局からいずれかの探索器をそい再度割り当てない。該基地局はデータＴｘ／Ｒｘ通知信号を形成し（ステップ１３３８），不使用タイマーをリセットし，待機リストフラッグを”真実“に設定する（ステップ１３４０）。該基地局はそれからアクテイブ状態１３１６に帰還する。
　（２）もしもＵＩＤ割当を持ついずれかの移動局がその割当時間の閾値を超えた場合（ステップ１３４２），基地局は，最大量でその割当時間の閾値を超えた移動局の該探索器を再度割り当てる（ステップ１３４４）。これは，移動局の待機時間の閾値を超えた待機リスト中の移動局がなくなるか，移動局の割当時間の閾値を超えた利用者ＩＤ割当を持つ移動局がなくなるまで，継続する。もしも割当時間年を審査する移動局（ステップ１３４４）が最も古いアクテイブでない場合，該基地局は割当時間切れ状態１３４６に入る。一方，もしも審査されるいどうきょくが最も古いアクテイブである場合，その利用者ＩＤは利用者ＩＤ再割当メッセージをパケット／ページングチヤネル上で該移動局に送る基地局により取り消される（ステップ１３４８）。該基地局グローバル探索器管理制御はそれから利用者ＩＤ通知メッセージを次に待機している移動局に送り（ステップ１３５０），該待機リストフラッグは審査される（ステップ１３５２）。もしも該待機リストフラッグが”誤り“の場合，すなわち該移動局が待機リスト上にある場合，該基地局は不使用状態に入る（ステップ１３５４）。もしも待機リストラッグが”真実“である場合，すなわち，該移動局が待機リスト上に現にない場合，該待機リストフラッグは”誤り“へ再リセットされ（ステップ１３５６），該基地局は待機状態１３２０に入る。
　（３）もしも待機リスト上に移動局の待機時間の閾値を超えている移動局がある場合，そして不使用時間の閾値を超えている不使用時間を持つ移動局がある場合（ステップ１３５８），該基地局はそのような移動局のプール（ｐｏｏｌ）から，より大きい量でその不使用時間の閾値を超えている移動局をもって開始して（ステップ１３６０），探索器を再度割り当てることを継続する。これは，移動局の待機時間の閾値を超えている待機リストの中にもはや移動局がなくなるか，移動局の不使用時間の閾値を超えている利用者ＩＤ割当をもつ移動局がもはやなくなるまで，継続する。最も古いアクテイブ不使用移動局（すなわち，その不使用時間を最も超えた移動局）が配置される時は，最も古いアクテイブな割り当てられた移動局が配置される時のように，同じ手順が続けられる（ステップ１３４４を参照）。もしも審査される移動局が最も古い不使用移動局でない場合，それから該基地局は不使用時間切れ状態１３６２に行く。
　該移動局がまたそり自信の滝時間を計測し，待機時間の閾値をもち，それは同意された優先レベルをもって変える。該移動局の待機時間の閾値は，該移動局の待機時間の閾値が超えられる前に，基地局の再割当手順が完成するための時間を許すために該基地局により使用される待機時間の閾値より大きくあるべきである。もしも移動局の測定された待機時間が該移動局の滝時間の閾値を超える場合，そして該移動局が送るべきデータを有する場合，該移動局は利用者ＩＤ要求ムッセージを送り，待機時間をゼロにリセットする。
　図１３Ｄを参照して，不使用時間切れ状態１３６２からの出口が説明される。上述したように，アクテイブな移動局は最も古い不使用移動局でないことを審査され（ステップ１３６０）る時，該基地局は不使用時間切れ状態１３６２に入る。この時点で，該基地局は該移動局の状態を審査し続ける。該基地局グローバル探索器制御は準備通知メッセージを最も古いアクテイブ不使用移動局におくる（ステップ１３６４）。その移動局の利用者ＩＤはそれからパケット／ページングチヤネル上でおく送られた利用者ＩＤ割当解除（ｄｅａｓｓｉｇｎｍｅｎｔ）メッセージによって取り消される（ステップ１３６８）。そして利用者ＩＤ通知信号が次に待機している移動局のためにグローバル探索器せいぎ制御により形成される。該待機リストフラッグはそれから審査される（ステップ１３７２）。もしも待機リストフラッグが”誤り“の場合，すなわち移動局が待機リスト上にある場合，基地局は不使用状態１３５４に行く。しかし，もしも待機リストフラッグが”真実“であれば，すなわち該移動局が待機リスト上にない場合，該待機リストフラッグは”誤り“にリセットされる（ステップ１３７４）。そして該基地局は待機状態に入る。　該基地局が不使用時間切れ状態１３６２にあるとき，もしも移動局の該割当時間が超過される場合（すてっぶ１３７６），すなわち該移動局があまりに長くその使用者ＩＤを有している場合，該基地局は割当時間切れ状態１３４６に入る。さらに，該不使用時間切れ状態１３６２の中にある時は，該グローバル探索器制御は，該移動局が待機リスト上にいないことを表示して，不使用タイマをリセツトさせ該待機リストフラッグを”真実“に設定せしめるところのデータＴｘ／Ｒｘ通知メッセージを形成する。該基地局はアクテイブ状態１３１６に入る。
　図１３Ｅを参照して，該基地局割当時間切れ状態１３４６を説明する。該基地局は，最も古いアクテイブ割当移動局が取り消されたその探索器予約を持とうとしていることを表示して，準備通知メッセージをそのグローバル探索器制御に送る（ステップ１３８２）。該基地局はそれから，パケット／ページングチヤネル上で移動局に利用者ＩＤ割当解除メッセージを送ることにより，その移動局の利用者ＩＤを取り消す。そして，利用者ＩＤ通知メッセージは次に待機している移動局にグローバル探索器制御により送られる（ステップ１３８８）。該待機リストフラッグはそれから審査される（ステップ１３９０）。もしも該待機リストフラッグが”誤り“の場合，該基地局は不使用状態１３５４に入る。もしも該待機リストが”真実“であれば，該待機リストは”誤り“にリセットされる（ステップ１３９２）。そして該基地局は待機状態１３２０に帰還する。
　さらに，割当時間切れ状態１３４６において，グローバル探索器制御は，移動局がデータを送信または受信する時に，データＴｘ／Ｒｘ通知メッセージを形成する（ステップ１３９４）。該待機リストフラッグはそれから”真実“に設定され（ステップ１３９６），該基地局は割当時間切れじょうたい１３４６に帰還する。
Ｄ．移動局の位置決定
　基地局が移動局に送信するパケットデータを持つとき，二つの基本的な方法が該パケットデータを配送するために利用され得る：（１）該基地局は移動局の位置を決定するためにＩＳ−９５登録方法上に依存する。この方法で，基地局はパケットデータを送信する前にその現在のセル／セクタを決定するために移動局をページ付けするか，移動局の位置エリアを通してパケットデータを単に送信することができる。（２）基地局は，すべての不使用ハンドオフの後，全時間，移動局のために正確な位置情報（セル／セクタへ）を提供して，移動局にパケット／ページングチヤネル要求メッセージを送信することを要求できる。
　それらの方法の最初のものは，ページングサブチヤネルトラフイックでの増加するコスト及びパケット配送（ｄｅｌｉｖｅｒｙ）での可能性のある遅延について，移動局により形成されたアクセスチヤネルトラフイックを最小にする。最初の方法は高機動性の移動局のための望ましい方法であり得る。第二の方法は増加するアクセスチヤネルトラフイックのコストで多くのパケツトのための遅延を最小とする。それは低い機動性の移動局のための最善のアプローチで有り得る。
　第一の方法を私有する時，該基地局はパケット／ページングチヤネルオーバヘッドメッセージの中の位置＿ＣＴＲＬ（ＬＯＣＡＴＩＯＮ−ｃｔｒｌ）フイールドを”ゼロ“に設定する。移動局はそれから，位置決定とパケット配送の手段として，ＩＳ−９５登録のみを実行する。
　第二の方法を使用する時，基地局はすべての不使用ハンドオフの後で，パケット／ページングチヤネルオーバヘッドメッセージの中の位置＿ＣＴＲＬフイールドを”１“に設定する。移動局はパケット／ページングチヤネル要求メッセージを送る。移動局はまた，通常のＩＳ−９５手順に従う要求として，ＩＳ−９５登録をまた実行する。
Ｅ．トラフイックチヤネルの管理
　パケットデータサービスが提供中に移動局は何時でもＶＤＭＡトラフイックチヤネル上で動作を開始したり終了することができる。これは該チヤネル割当，チヤネル開放，及びＴＩＡ／ＥＩＡ／ＩＳ−９５に定義されている関連する手順とを使用することにより行われる。ここにおいて，参照はＣＤＭＡトラフイックチヤネルのためになされる。しかし，それは基地局と移動局との間のランダムアクセスチヤネルの帯域幅を超えるところの送信（例えば，非通話中，長たらしさ（ｌｅｎｇｔｈｙ），又は連続送信）を送るために供されたチヤネルを使用することが一般に好ましい。このセクションの残りで参照されるトラフイックチヤネルは単に例示的に供されたチヤネルである。このセクションは，移行が有益であることを条件が命令する時，供されたチヤネル（又はトラフイックチヤネル）と本発明のランダムアクセスチヤネルとの間の切替え又は移行のためのプロセスを説明する。便宜的に，供されたチヤネルはトラフイックチヤネルへの特定の参照をもって記述される。このプロセスは，図３に関してより詳細でなく上記で説明された。
　基地局又は移動局のいずれかがトラフイックチヤネル割当処理を開始できる。移動局はアクセスチヤネル又は逆方向のパケットチヤネルのいずれか上でＩＳ−９５開始メッセージを送ることにより，トラフイックチヤネル割当処理を開始する。基地局はトラフイックチヤネルヲ直接割り当てることにより，又は前に割当の移動局へページメッセージを送ることにより，トラフイックチヤネル割当を開始することができる。
　基地局はパケット／ページングチヤネルとトラフイックチヤネルとの間で移行を開始する時を決定するために次の手順を利用する：
　（１）期間を超えて，もしも移動局へ送られたパケットデータ又は移動局からの受信されたパケットデータが所定の閾値レベルを超える場合，基地局は移動局をＣＤＭＡトラフイックチヤネルに割り当てる。この手順は，利用者が多量のデータを移行するか，データパケットの周期的な交換をもつ超過したセッションを実行するかの環境下で，パケットデータの使用法が，パケット／ページングチヤネル又は逆方向パケットチャネルの能力を超過できるという課題に向けられている。
　（２）もしも移動局利用者又は基地局が，トラフイツクチヤネルが新しい通話出現を担う必要があるところの第二通話状況（例えば，パケデータサービスと同時の音声通話）を創立するならば，基地局は該移動局にＣＤＭＡトラフイックチヤネルを割り当てる。
　（３）もしも移動局が運動しており，ハンドオフ又は信号フエードの急速な連続を経験するならば，基地局は該移動局にＣＤＭＡトラフイックチヤネルを割り当てる。それは，パケット／ページングチヤネル割当を再構築するために過度のアクセスチヤネル活動なしに，接続性を維持する（例えば，ＣＤＭＡセルラのフトハンドオフ特徴を使用すること）ように，そのような環境下でトラフイックチヤネルを使用することは有利であろう。
　（４）移動局のトラフイックチヤネル利用が形成された（ｃｏｎｆｉｇｕｒｅｄ）レベル以下に落ちる時，基地局は該トラフイックチヤネルを開放する。トラフイックチヤネルを開放する時を決定するための基準は，不使用時間（最後のパケットが送信又は受信されて以来の時間），利用者優先，そして機動性（ハンドオフ又は信号フエードの急速な連続）を含む。
　機動性あるの局は，パケットデータサービスを開始する時，ページング／パケットチヤネル要求に代わって，ＣＤＭＡ開始メッセージを送ることによりＣＤＭＡトラフイックチヤネルへの割当を要求することができる。機動性あるの局は，生じる（ｒｅｓｕｌｔｉｎｇ）手順が基地局の手順と衝突しない限り，トラフイックチヤネルとパケット／ページングチヤネルとの間での移行をなすために，またかれら自身の基準を確立することができる。
ＩＶ．結論
　本発明　はランダムアクセスチヤネル上のデイジタル通信システムにおいてデータパケットを通信するための能力を提供する。ＣＤＭＡシステムにおいて，本発明は，該システムの多重利用者にランダムアクセスチヤネルをシエアすることを可能にして，逆方向リンク上でパケットデータを獲得するためのロングコードを認識するところの探索器と，該データパケットを符号化するためのロングードとを使用する。本発明は探索器を管理する手順を提供する。結果として，時たま及び小さいバーストで送信する多くの利用者は，そのデータパケットの送信のために各利用者に供されたチヤネルを有する必要性なしに該ランダムアクセスチヤネルの源をシエアできる。ここにおいて，該システムの効率は向上し，システムと利用者コストを減じる。
　さらに本発明はランダムアクセスチヤネルと供されたチヤネルとの間の切替えまたは移行のための手段を提供する。本発明の該ランダムアクセスチヤネルはバースト状のデータ通信を操作するために設計される。一方，供されたチヤネルは，その送信シーケンスの期間中に利用者に供され，そして例えば，利用者が送るべき多量のデータを有している時，または利用者がデータ送信間にブレークの少ない又は何もない連続した送信をしている時に，利用される。本発明に従って，両タイプのチヤネルは，条件が指示する時にそれらの間で移行する能力と同様に提供され得る。閾値レベルは，いずれかの方向（すなわち，ランダムアクセスチヤネルから供されたチヤネルへ，又はその逆に）送信する時を決定するために確立される。それらの閾値レベルが会う時，利用者はデータの送信のために適当なチヤネルに移行される。このように，本発明は，バースト状の利用者のデータを通信するためのチャネルにより多量の又は連続するデータを利用者に提供する間，これらの利用者のためにランダムアクセスチヤネルをオープンに維持する。このように，ランダムアクセスチヤネルは過剰負担を負わされず，そしてその意図する目的のために非効率性を与えられない。
　ランダムアクセスチヤネルの設計は順方向リンクと逆方向リンクとで異ならせることかできる。順方向リンクでは，パケット／ページングチヤネルはパケットサブチャネルとページングサブチヤネルの双方を組み込んで提供される。これは基地局がパケットデータを遠隔の利用者に送信できるようにする。逆方向リンクでは，逆方向パケットチヤネルは遠隔の利用者からのパケットデータを取り扱い，該データが基地局に送られるようにする。
　好適な実施の形態についての前記した説明は，当該分野の当業者が本発明を造り利用できるようにするためになされた。それらの実施の形態を種々変形することは当該分野の当業者には明白なことであり，ここに明確にされた一般の原理は発明能力を使用する事なく，他の実施の形態に応用することができる。このように，本発明は，ここに示した実施の形態に限られるものではなく，ここに説明された新規で原則的な特徴をもつ最も広い範囲で与えられる。
（５７）【特許請求の範囲】
　１．
デジタル情報を通信するためのデジタル通信システムにおいて，前記デジタル通信システムは順方向リンクと逆方向リンク，データパケットを通信するためのシステムとを有し，
　各々異なるロングコードを有する複数のトランシーバ間で，通信するトランシーバであって，前記通信するトランシーバに対応する前期ロングコードを使用して前記逆方向リンク上のランダムアクセスチヤネル上で前記データパケットを送るための，及び前記順方向リンクからの前記デジタル情報を受信するための，前記通信するトランシーバと；及び
　前記逆方向リンクからの前記ランダムアクセスチヤネル上で前記データパケットを受信するための，及び前記順方向リンク上で前記デジタル情報を送るための基地局であって，前記基地局は前記データパケットを前記通信するトランシーバに対応する前記ロングコードに基づいて通信するトランシーバにより送られていると認識する探索器を有している，基地局，とを具備し，
　ここにおいて，前記複数のトランシーバは前記ランダムアクセスチヤネルをシエアし，そして前記通信するトランシーバは前記探索器の予約を要求する，
　ことを特徴とするデジタル情報を通信するためのデジタル通信システムであって、
　
該デジタル通信システムは順方向リンク上でページングと制御メッセージを通信するための放送チヤネルを含み；そしてここにおいて，該デイジタル情報は前記放送チヤネル上の前記ページングと制御メッセージとでインターリーブされ，
　該デジタル通信システムはＣＤＭＡ通信システムであり，該放送チヤネルと順方向データパケットチヤネルとは順方向リンク上でパケット／ページングチヤネルを得るために結合されており，前記パケット／ページングチヤネルはパケットサブチヤネルとページングサブチヤネルを含んでおり，
　該パケット／ページングチヤネルは，該データパケットが該基地局により受信されている時に該データパケットのパワーレベルを制御するためのパワー制御サブチヤネルを有している，
　ことを特徴とするデジタル情報を通信するためのデジタル通信システム
。
　
２
　ことを特徴とするデジタル情報を通信するためのデジタル通信システム。
　
３
２
　ことを特徴とするデジタル情報を通信するためのデジタル通信システム。
　
４
３
　ことを特徴とするデジタル情報を通信するためのデジタル通信システム。
　
５
２
　ことを特徴とするデジタル情報を通信するためのデジタル通信システム。
　
６
　ここにおいて，該通信トランシーバは前記アクセスチヤネル上で探索器要求メッセージを送り，そして符号化されたデータパケットを得るための該通信トランシーバに応じて特定ロングコードを使用する該データパケットを符号化し，該ランダムアクセスチヤネルは逆方向パケットチヤネルを具備しており，該通信トランシーバは前記逆パケットチヤネル上で前記符号化したデータパケットを送り；
　そして，ここにおいて，該基地局は前記探索器要求メッセージに応答して該通信トランシーバへ探索器を割り当て，該通信トランシーバへ探索器割当を送る，
　ことを特徴とするデジタル情報を通信するためのデジタル通信システム。
　７
６
を
　そしてここにおいて，該基地局は前記複数の探索器から一つの不使用探索器を位置付けための，そして前記不使用探索器へ該特定のロングコードを送るため
の
　ことを特徴とするデジタル情報を通信するためのデジタル通信システム。
　８
６
　ここにおいて，該通信トランシーバは該アクセスチヤネル上で該基地局にパケット／ページングチヤネル要求メッセージを送り；
　そしてここにおいて，該基地局は前記パケット／ページングチヤネル要求メッセージの受信に応答して，前記パケット／ページングチヤネルに該通信トランシーバを割り当てる，
　ことを特徴とするデジタル情報を通信するためのデジタル通信システム。
　９
６
　該基地局は探索器割当待機リストを持ち；
　そして，もしも該基地局が前記複数の探索器から一つの不使用探索器を位置付けら
れ
　ことを特徴とするデジタル情報を通信するためのデジタル通信システム。
１０
９
　ことを特徴とするデジタル情報を通信するためのデジタル通信システム。
１１
１０
　ここにおいて，割り当てられたトランシーバは該複数の探索器の一つへの割当を持ち；
　そしてここにおいて，前記割り当てられたトランシーバの前記優先レベルが該通信しているトランシーバの前記優先レベルより低くなる時，該基地局は前記割り当てられたトランシーバから前記割当を取り消して，結果として取り消されたトランシーバとし，そして前記一つの探索器へ該通信しているトランシーバを割り当てる，
　ことを特徴とするデジタル情報を通信するためのデジタル通信システム。
１２
通信するトランシーバと探索器を有する基地局との間でデジタル情報を通信するためのデジタル通信システムにおいて、前記デジタル通信システムは順方向リンクと逆方向リンクを有しており，データパケットを通信するための方法であって、
　前記通信するトランシーバにより前記探索器の予約を要求し；
　符号化されたデータパケットを得るために，前記通信するトランシーバに対応する特別のロングコードでデータパケットを符号化し；
　該通信するトランシーバに対応する前記特別のロングコードを前記探索器に供給し；
　各々異なるロングコードを有する複数のデイジタルトランシーバ間で前記通信するトランシーバにより前記逆方向リンク上のランダムアクセスチャネル上で前記符号化されたデータパケットを１番目に送信し，ここにおいて，前記複数のデイジタルトランシーバは前記ランダムアクセスチャネルをシエアしており；
　ある基地局により前記逆方向リンクから前記ランダムアクセスチヤネル上の前記符号化されたデータパケットを一番目に受信し，ここにおいて前記探索器は前記符号化されたデータパケットを，前記探索器に供給されている前記対応する特別のロングコードに基づいて前記通信するトランシーバにより送られていると認識し；
　前記基地局により前記順方向リンク上で前記デイジタル情報を二番目に送り；そして，
　前記通信しているトランシーバにより前記順方向リンクから前記デジタル情報を二番目に受信する，
　ことを具備することを特徴とするデータパケットを通信するための方法であって、
　さらに、該順方向リンク上の放送チヤネル上でページングメッセージと制御メッセージを一番目に通信し；そして
　前記放送チヤネル上の前記ページングメッセージと，前記制御メッセージとで該デジタル情報をインターリーブし、
　該デジタル通信システムは、ＣＤＭＡ通信システムであり、該方法は、さらに該順方向リンク上でパケット／ページングチヤネルを得るためにデータパケットチヤネルと，該放送チヤネルとの結合を具備し，前記パケット／ページングチヤネルはパケットサブチヤネルとページングサブチヤネルとを含んでおり、
　該データパケットを該基地局へ送る時に，該パケット／ページングチヤネル上のパワー制御サブチヤネルを介して，該データパケットのパワーレベルを制御することをさらに具備する，
　ことを特徴とするデータパケットを通信するための方法。
１３
１２
１４
１３
１５
１４
１６
１３
　ここにおいて，該複数のデジタルトランシーバの間から一つのアクテイブな移動トランシーバが該ランダムアクセスチヤネル上を通信しており，該方法はさらに，もしも前記アクテイブな移動トランシーバが個々のセルサイトの前記ネッワークの中で個々のセルサイト間で，連続するハンドオフを受けている場合，該ランダムアクセスチヤネルから該供されたチヤネルへ前記アクテイブな移動トランシーバを切替えることを具備している，
　ことを特徴とするデータパケットを通信するための方法。
１７
１２
　該方法はさらに，
　該通信しているトランシーバにより前記アクセスチヤネル上で探索器要求メッセージを三番目に送り；
　前記探索器要求メッセージに応答して該基地局により該通信しているトランシーバへ探索器を一番目に割当て；
　該基地局により該通信しているトランシーバへ探索器割当を４番目に送り；そして，
　符号化されたデータパケットを得るために該通信しているトランシーバにおうじて特定のロングコードを使用する該データパケットを符号化し；
　ここにおいて，該一番目の送るステップは，該逆方向リンク上の前記逆方向パケットチヤネル上で前記符号化されたデータパケットを送信することを含む，
　ことを特徴とするデータパケットを通信するための方法。
１８
１７
　複数の探索器間から一つの不使用探索器を位置付け；そして
　前記不使用探索器へ該特定ロングコードを五番目に送る，
　ことを特徴とするデータパケットを通信するための方法。
１９
１７
　該アクセスチヤネル上で該基地局へパケット／ページングチヤネル要求メッセージを五番目に送付し；そして
　前記パケット／ページングチヤネル要求メッセージの受信に応答して，前記パケット／ページングチヤネルに該通信しているトランシーバを２番目に割り当てる，
　ことを特徴とするデータパケットを通信するための方法。
２０
１７
　該方法はさらに，もしも該基地局が前記複数の探索器から不使用の探索器を位置付けることができない場合，前記探索器割り当てリスト上に該通信しているトランシーバを位置付けることを具備する，
　ことを特徴とするデータパケットを通信するための方法。
２１
２０
を
　ことを特徴とするデータパケットを通信するための方法。
２２
２１
　該複数のトランシーバの各々は，優先レベルを持ち；そしてここにおいて，　割り当てられたトランシーバは該複数の探索器の一つへの割り当てを持ち，
　該方法さらに，前記割り当てられたトランシーバの前記優先レベルが該通信しているトランシーバの前記優先レベルより低くなる時，前記割り当てられたトランシーバから前記割り当てを一番目に削除して結果として取り消されたトランシーバとし，そして前記一つの探索器へ該通信しているトランシーバを三番目に割り当てることを具備する，
　ことを特徴とするデータパケットを通信するための方法。
２３
デイジタル通信システムであって，
　ランダムアクセスチヤネル上で符号化されたデータパケットを送信するための少なくとも一つの遠隔のトランシーバであって，前記少なくとも一つの遠隔のトランシーバの各々は異なる固有の識別コードで前記符号化されたデータパケットを符号化する，前記遠隔のトランシーバと；及び
　前記ランダムアクセスチヤネル上で前記符号されたデータパケットを受信する基地局であって，前記基地局は前記固有の識別コードに対応する前記送信された符号化データパケットを復号するための復号器を有し，前記少なくとも一つの遠隔のトランシーバは前記符号化されたデータパケットを伝送する前に前記復号器の予約を要求する基地局と、を備えることを特徴とする上記ディジタル通信システムであって、
　前記基地局は前記した少なくとも一つの遠隔トランシーバに放送チヤネル上でページング及び制御メッセージを送信し、前記放送チヤネル及び前記ランダムアクセスチヤネルは単一の周波数帯域に多重化され、
　前記基地局はパワー制御メッセージを前記放送チヤネル上で前記した少なくとも一つの遠隔トランシーバに送信し，及び前記した少なくとも一つの遠隔トランシーバは前記パワー制御メッセージに応答して前記符号化データパケットの送信パワーレベルを調整する、
　ことを特徴とするデイジタル通信システム。
２４
２３
　前記した少なくとも一つの遠隔トランシーバの各々は帯域幅要求を持ち，
　前記基地局は，前記帯域幅要求が所定のしきい値より小さい時には，前記した少なくとも一つの遠隔トランシーバが，前記ランダムアクセスチヤネル上で前記符号化データパケットを送信するようにさせ，前記帯域幅要求が前記所定のしきい値より大きいときには，前記した少なくとも一つの遠隔トランシーバが，供されたチヤネル上で前記符号化データパケットを送信するようにさせる，
　ことを特徴とするデイジタル通信システム。
２５
少なくとも一つの遠隔トランシーバが復調器を有する基地局と通信するデジタル通信システムにおいて，データパケットを通信する方法であって，
　前記遠隔トランシーバの各々は異なる固有の識別コードを有しており，少なくとも一つの遠隔トランシーバにおいて，前記データパケットを固有の識別コードで符号化する；
　前記した少なくとも一つの遠隔トランシーバにより，前記復調器の予約を要求する；
　前記した少なくとも一つの遠隔トランシーバから，ランダムアクセスチヤネル上で前記符号化データパケットを送信する；
　基地局において，前記ランダムアクセスチヤネル上で前記符号化データパケットを受信する；及び
　前記基地局において，前記固有の識別コードに応答して前記受信した符号化データパケットを復調する；ステップを備えていることを特徴とするデータパケットを通信する方法であって、
　
前記基地局は放送チヤネル上で前記した少なくとも一つの遠隔トランシーバにペーシング及び制御メッセージを送信し，前記放送チヤネルと前記ランダムアクセスチヤネルは単一の周波数帯域に多重化されている；
　前記放送チヤネル上で前記した少なくとも一つの遠隔トランシーバに前記基地局からパワー制御メッセージを送信する；及び、
　前記送信されたパワー制御メッセージに応答して前記した少なくとも一つの遠隔トランシーバにおける前記符号化データパケットの送信パワーレベルを調整する；
　ステップをさらに備えていることを特徴とするデータパケットを通信する方法。
２６
２５
　前記した少なくとも一つの遠隔トランシーバの各々は帯域幅要求を持っており，
　前記帯域幅要求が所定のしきい値より小さい時は，前記した少なくとも一つの遠隔トランシーバが，前記ランダムアクセスチヤネル上で前記符号化データパケットを送信するようにさせる；及び
　前記帯域幅要求が前記所定のしきい値より大きい時は，前記した少なくとも一つの遠隔トランシーバが，供された送信チヤネル上で前記符号化データパケットを送信させる，
　ステップをさらに備えていることを特徴とする上記方法。